(57)【特許請求の範囲】
【請求項１】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからフロー識別情報と、アクセスシステム識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスシステム識別情報に対応するアクセスシステムに強制的に切り替える要求を送信することを特徴とするＵＥ。
【請求項２】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからＡＰＮ識別子と、アクセスシステム識別情報と、強制度とを含んだモバイルオペレータポリシーを受信し、
前記モバイルオペレータポリシーに含まれる強制度が切り替えを強制する強制度の場合には、前記ＡＰＮ識別子に対応するＡＰＮの通信路を、モバイルオペレータポリシーに含まれているアクセスシステム識別情報に対応するアクセスシステムに強制的に切り替える要求を送信することを特徴とするＵＥ。
【請求項３】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからＰＤＮコネクション識別情報と、アクセスシステム識別情報と、強制度とを含んだモバイルオペレータポリシーを受信し、
前記モバイルオペレータポリシーに含まれる強制度が切り替えを強制する強制度の場合には、前記ＰＤＮコネクション識別情報に対応するＰＤＮコネクションの通信路を、モバイルオペレータポリシーに含まれているアクセスシステム識別情報に対応するアクセスシステムに強制的に切り替える要求を送信することを特徴とするＵＥ。
【請求項４】
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからフロー識別情報と、アクセスネットワーク識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスネットワーク識別情報に対応するアクセスネットワークに強制的に切り替える要求を送信することを特徴とするＵＥ。
【請求項５】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにフロー識別情報と、アクセスシステム識別情報と、強制度とを含んだモバイルオペレータポリシーを送信し、
前記強制度は、前記ＵＥがモバイルオペレータポリシーを受信した場合に、フロー識別情報に対応するフローの通信路を、アクセスシステム識別情報に対応するアクセスシステムに強制的に切り替える指示を行わせる強制度を含むことを特徴とするＡＮＤＳＦ。
【請求項６】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにＡＰＮ識別子と、アクセスシステム識別情報と、強制度とを含んだモバイルオペレータポリシーを送信し、
前記強制度は、前記ＵＥがモバイルオペレータポリシーを受信した場合に、ＡＰＮ識別子に対応するＡＰＮの通信路を、アクセスシステム識別情報に対応するアクセスシステムに強制的に切り替える指示を行わせる強制度を含むことを特徴とするＡＮＤＳＦ。
【請求項７】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにＰＤＮコネクション識別情報と、アクセスシステム識別情報と、強制度とを含んだモバイルオペレータポリシーを送信し、
前記強制度は、前記ＵＥがモバイルオペレータポリシーを受信した場合に、ＰＤＮコネクション識別情報に対応するＰＤＮコネクションの通信路を、アクセスシステム識別情報に対応するアクセスシステムに強制的に切り替える指示を行わせる強制度を含むことを特徴とするＡＮＤＳＦ。
【請求項８】
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにフロー識別情報と、アクセスネットワーク識別情報と、強制度とを含んだモバイルオペレータポリシーを送信し、
前記強制度は、前記ＵＥがモバイルオペレータポリシーを受信した場合に、フロー識別情報に対応するフロー通信の通信路を、アクセスネットワーク識別情報に対応するアクセスネットワークに強制的に切り替える指示を行わせる強制度を含むことを特徴とするＡＮＤＳＦ。
【請求項９】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにフロー識別情報と、アクセスシステム識別情報と、強制度とを含んだモバイルオペレータポリシーを送信し、
前記ＵＥは、
前記ＡＮＤＳＦからフロー識別情報と、アクセスシステム識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスシステム識別情報に対応するアクセスシステムに強制的に切り替える要求を送信する、
ことを特徴とする移動通信システム。
【請求項１０】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにＡＰＮ識別子と、アクセスシステム識別情報と、強制度とを含んだモバイルオペレータポリシーを送信し、
前記ＵＥは、
前記ＡＮＤＳＦからＡＰＮ識別子と、アクセスシステム識別情報と、強制度とを含んだモバイルオペレータポリシーを受信し、
前記モバイルオペレータポリシーに含まれる強制度が切り替えを強制する強制度の場合には、前記ＡＰＮ識別子に対応するＡＰＮの通信路を、モバイルオペレータポリシーに含まれているアクセスシステム識別情報に対応するアクセスシステムに強制的に切り替える要求を送信する、
ことを特徴とする移動通信システム。
【請求項１１】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにＰＤＮコネクション識別情報と、アクセスシステム識別情報と、強制度とを含んだモバイルオペレータポリシーを送信し、
前記ＵＥは、
前記ＡＮＤＳＦからＰＤＮコネクション識別情報と、アクセスシステム識別情報と、強制度とを含んだモバイルオペレータポリシーを受信し、
前記モバイルオペレータポリシーに含まれる強制度が切り替えを強制する強制度の場合には、前記ＰＤＮコネクション識別情報に対応するＰＤＮコネクションの通信路を、モバイルオペレータポリシーに含まれているアクセスシステム識別情報に対応するアクセスシステムに強制的に切り替える要求を送信する、
ことを特徴とする移動通信システム。
【請求項１２】
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにフロー識別情報と、アクセスネットワーク識別情報と、強制度とを含んだモバイルオペレータポリシーを送信し、
前記ＵＥは、
前記ＡＮＤＳＦからフロー識別情報と、アクセスネットワーク識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスネットワーク識別情報に対応するアクセスネットワークに強制的に切り替える要求を送信する、
ことを特徴とする移動通信システム。
【請求項１３】
請求項９から１２の何れか一項に記載の移動通信システムに接続されることを特徴とするＰＧＷ。
【請求項１４】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにフロー識別情報と、アクセスシステム識別情報と、強制度とを含んだモバイルオペレータポリシーを送信し、
前記ＵＥは、
前記ＡＮＤＳＦからフロー識別情報と、アクセスシステム識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスシステム識別情報に対応するアクセスシステムに強制的に切り替える要求を送信する、
ことを特徴とする通信方法。
【請求項１５】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにＡＰＮ識別子と、アクセスシステム識別情報と、強制度とを含んだモバイルオペレータポリシーを送信し、
前記ＵＥは、
前記ＡＮＤＳＦからＡＰＮ識別子と、アクセスシステム識別情報と、強制度とを含んだモバイルオペレータポリシーを受信し、
前記モバイルオペレータポリシーに含まれる強制度が切り替えを強制する強制度の場合には、前記ＡＰＮ識別子に対応するＡＰＮの通信路を、モバイルオペレータポリシーに含まれているアクセスシステム識別情報に対応するアクセスシステムに強制的に切り替える要求を送信する、
ことを特徴とする通信方法。
【請求項１６】
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにＰＤＮコネクション識別情報と、アクセスシステム識別情報と、強制度とを含んだモバイルオペレータポリシーを送信し、
前記ＵＥは、
前記ＡＮＤＳＦからＰＤＮコネクション識別情報と、アクセスシステム識別情報と、強制度とを含んだモバイルオペレータポリシーを受信し、
前記モバイルオペレータポリシーに含まれる強制度が切り替えを強制する強制度の場合には、前記ＰＤＮコネクション識別情報に対応するＰＤＮコネクションの通信路を、モバイルオペレータポリシーに含まれているアクセスシステム識別情報に対応するアクセスシステムに強制的に切り替える要求を送信する、
ことを特徴とする通信方法。
【請求項１７】
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにフロー識別情報と、アクセスネットワーク識別情報と、強制度とを含んだモバイルオペレータポリシーを送信し、
前記ＵＥは、
前記ＡＮＤＳＦからフロー識別情報と、アクセスネットワーク識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスネットワーク識別情報に対応するアクセスネットワークに強制的に切り替える要求を送信する、
ことを特徴とする通信方法。
【発明の詳細な説明】
【技術分野】
【０００１】
本発明は、ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システム等に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳに接続されるアクセスシステムとしてＬＴＥ（Long Term Evolution）だけでなく、無線ＬＡＮ（Wireless LAN、WLAN)やＷｉＭＡＸ（Worldwide Interoperability for Microwave Access）について検討がなされている。
【０００３】
さらに、３ＧＰＰでは、昨今のスマートフォンによるインターネットへのアクセスによるトラフィックの急増について検討しており、ＬＴＥだけではトラフィックを処理しきれなくなることを想定しており、状況に応じてＬＴＥから無線ＬＡＮ、ＷｉＭＡＸといった他のアクセスシステムへの切り替えることによる、ＬＴＥへのトラフィックの集中を回避することを検討している。
【０００４】
非特許文献１では、複数のアクセスシステムを利用してトラフィックの集中を避ける技術として、ＩＦＯＭ（IP Flow Mobility）について検討され、仕様化された。ＩＦＯＭでは、フロー単位でアクセスシステムを振り分けることにより、トラフィックの分散を行うことができる技術である。ここで、フローとは、共通の特性をもつ通信データの集合であり、通信データの特性は、例えば送信元ＩＰアドレス、送信先ＩＰアドレス、送信元ポート番号、送信先ＩＰアドレス、プロトコル番号（これら５つのパラメータでＩＰ５と呼ぶ）等で識別可能である。
【０００５】
また、非特許文献２では、移動通信端末であるＵＥ（User Equipment）がアクセスシステムへの切り替え手続きにおいて、ＡＮＤＳＦ（Access Network Discovery and Selection Function）を利用する方法について記載されている。ＡＮＤＳＦとは、ＵＥが通信中もしくは通信を行う一又は複数のフローに対して、フロー毎にアクセスシステムを選択し、モバイルオペレータ（Mobile Operator：ＭＯ）のポリシーとしてＵＥへ通知する機能を有する装置である。
【０００６】
ＵＥはＵＥが通信中もしくは通信を行う一又は複数のフローに対して、フロー毎に利用するアクセスシステムを対応づけたポリシーを保持している。ＡＮＤＳＦからＭＯポリシーとしてアクセスシステムを通知されたＵＥは、ＭＯポリシーに含められたアクセスシステムを適用するかどうかを決定し、ＭＯポリシーを適用する場合には、ＵＥポリシーに反映し、その後ＵＥのポリシーに基づいてフローの送受信に利用するアクセスシステムを切り替える。
【０００７】
ここで、ＵＥポリシーは、複数のアクセスシステムに接続可能な状態であるかや、課金状況に応じてユーザが設定したものである。例えば、ＬＴＥによるアクセスネットワークを経由した通信路を利用するより、ＷＬＡＮによるアクセスネットワークを経由した通信路を利用した方が料金が安い場合には、ＷＬＡＮによるアクセスネットワークを経由した通信路を優先して使用する等の、ＵＥの通信路選択に関わるポリシーである。
【０００８】
したがって、ＵＥはＡＮＤＳＦから通知されたＭＯポリシーに必ずしも従う必要はなく、ＭＯポリシーを適用しない場合には、ＵＥポリシーに変更を加える必要はなく、この場合、アクセスシステムを切り替える必要もない。こうした適用は、ＵＥの設定もしくはＵＥを保有するユーザの意思に基づいた設定により決定される。
【先行技術文献】
【非特許文献】
【０００９】
【非特許文献１】3GPP TS 23.261 Technical Specification Group Services and System Aspects, IP flow mobility and seamless Wireless Local Area Network(WLAN) offload, Stage 2 (Release 10)
【非特許文献２】3GPP TS23.402 General Technical Specification Group Services and System Aspects, Architecture enhancements for non-3GPP accesses
【発明の概要】
【発明が解決しようとする課題】
【００１０】
ＩＦＯＭによりフロー毎にアクセスシステムを切り替えることができるようになった。しかしながら、ＭＯはＭＯのポリシーをＵＥに通知する手段はあるものの、ＵＥはＭＯポリシーに従ってフローの通信に用いるアクセスシステムを選択する必要がなかった。
【００１１】
ＭＯポリシーを通知するだけでは、ＬＴＥへのトラフィックの集中を必ずしも緩和することができないという問題が生じる。ＭＯが通信システム内のトラヒック量を監視し、通信システム全体のデータ配送を最適化するためＭＯポリシーを生成した場合、例えばＬＴＥへのトラヒックを減らし、ＷＬＡＮへのトラヒックを増やすようＭＯポリシーを生成してＵＥに通知したとしても、ＵＥはＭＯポリシーに基づいてアクセスシステムを切り替かえないことがあるためデータ配送は最適化されない。
【００１２】
つまり、オペレータがＵＥに強制度を持たせてＭＯポリシーを通知する運用を行うことができず、ＵＥへアクセスシステムの切り替えを強制することができなかった。
【００１３】
例えば、ＡＮＤＳＦからＵＥへＭＯポリシーを通知した際に、ＡＮＤＳＦがＵＥにＭＯポリシーの適用を強制し、そのＭＯポリシーに含まれるアクセスシステムへの切り替えを強制することができなかった。
【００１４】
また、ＡＮＤＳＦは、ＵＥへＭＯポリシーを通知する際に、ＡＮＤＳＦがＵＥにＭＯポリシーの適用を強制度として、ＵＥに強制するだけでなく、ＭＯの希望と通知することやＵＥの任意と通知するといったＭＯポリシーにおける強制度を通知することもできなかった。
【００１５】
本発明は、このような事情を鑑みてなされたもので、その目的は、第１アクセスシステム（例えば、ＬＴＥ基地局装置）に接続しているＵＥ（移動局装置）が、データ通信を行っている場合に、ＡＮＤＳＦからＵＥへモバイルオペレタポリシー（ＭＯポリシー）を通知することによって、ＭＯは、ＵＥへＭＯポリシーを強制することができる。それにより、ＵＥは、ＵＥポリシーをＭＯポリシーへ変更することになり、ＭＯの意向を適切に反映することができ、第１アクセスシステム（例えば、ＬＴＥ基地局装置）へのトラフィックの集中を回避することができる移動通信システム等を提供することである。
【課題を解決するための手段】
【００１６】
上述した課題に鑑み、本発明のＵＥは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからフロー識別情報と、アクセスシステム識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスシステム識別情報に対応するアクセスシステムに強制的に切り替える要求を送信することを特徴とする。
【００１７】
更に、本発明のＵＥは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからＡＰＮ識別子と、アクセスシステム識別情報と、強制度とを含んだモバイルオペレータポリシーを受信し、
前記モバイルオペレータポリシーに含まれる強制度が切り替えを強制する強制度の場合には、前記ＡＰＮ識別子に対応するＡＰＮの通信路を、モバイルオペレータポリシーに含まれているアクセスシステム識別情報に対応するアクセスシステムに強制的に切り替える要求を送信することを特徴とする。
【００１８】
更に、本発明のＵＥは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからＰＤＮコネクション識別情報と、アクセスシステム識別情報と、強制度とを含んだモバイルオペレータポリシーを受信し、
前記モバイルオペレータポリシーに含まれる強制度が切り替えを強制する強制度の場合には、前記ＰＤＮコネクション識別情報に対応するＰＤＮコネクションの通信路を、モバイルオペレータポリシーに含まれているアクセスシステム識別情報に対応するアクセスシステムに強制的に切り替える要求を送信することを特徴とする。
【００１９】
更に、本発明のＵＥは、
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＵＥにおいて、
前記ＡＮＤＳＦからフロー識別情報と、アクセスネットワーク識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスネットワーク識別情報に対応するアクセスネットワークに強制的に切り替える要求を送信することを特徴とする。
【００２０】
本発明のＡＮＤＳＦは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにフロー識別情報と、アクセスシステム識別情報と、強制度とを含んだモバイルオペレータポリシーを送信し、
前記強制度は、前記ＵＥがモバイルオペレータポリシーを受信した場合に、フロー識別情報に対応するフローの通信路を、アクセスシステム識別情報に対応するアクセスシステムに強制的に切り替える指示を行わせる強制度を含むことを特徴とする。
【００２１】
本発明のＡＮＤＳＦは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにＡＰＮ識別子と、アクセスシステム識別情報と、強制度とを含んだモバイルオペレータポリシーを送信し、
前記強制度は、前記ＵＥがモバイルオペレータポリシーを受信した場合に、ＡＰＮ識別子に対応するＡＰＮの通信路を、アクセスシステム識別情報に対応するアクセスシステムに強制的に切り替える指示を行わせる強制度を含むことを特徴とする。
【００２２】
本発明のＡＮＤＳＦは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにＰＤＮコネクション識別情報と、アクセスシステム識別情報と、強制度とを含んだモバイルオペレータポリシーを送信し、
前記強制度は、前記ＵＥがモバイルオペレータポリシーを受信した場合に、ＰＤＮコネクション識別情報に対応するＰＤＮコネクションの通信路を、アクセスシステム識別情報に対応するアクセスシステムに強制的に切り替える指示を行わせる強制度を含むことを特徴とする。
【００２３】
本発明のＡＮＤＳＦは、
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムにおけるＡＮＤＳＦにおいて、
前記ＵＥにフロー識別情報と、アクセスネットワーク識別情報と、強制度とを含んだモバイルオペレータポリシーを送信し、
前記強制度は、前記ＵＥがモバイルオペレータポリシーを受信した場合に、フロー識別情報に対応するフロー通信の通信路を、アクセスネットワーク識別情報に対応するアクセスネットワークに強制的に切り替える指示を行わせる強制度を含むことを特徴とする。
【００２４】
本発明の移動通信システムは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにフロー識別情報と、アクセスシステム識別情報と、強制度とを含んだモバイルオペレータポリシーを送信し、
前記ＵＥは、
前記ＡＮＤＳＦからフロー識別情報と、アクセスシステム識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスシステム識別情報に対応するアクセスシステムに強制的に切り替える要求を送信する、
ことを特徴とする。
【００２５】
本発明の移動通信システムは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにＡＰＮ識別子と、アクセスシステム識別情報と、強制度とを含んだモバイルオペレータポリシーを送信し、
前記ＵＥは、
前記ＡＮＤＳＦからＡＰＮ識別子と、アクセスシステム識別情報と、強制度とを含んだモバイルオペレータポリシーを受信し、
前記モバイルオペレータポリシーに含まれる強制度が切り替えを強制する強制度の場合には、前記ＡＰＮ識別子に対応するＡＰＮの通信路を、モバイルオペレータポリシーに含まれているアクセスシステム識別情報に対応するアクセスシステムに強制的に切り替える要求を送信する、
ことを特徴とする。
【００２６】
本発明の移動通信システムは、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにＰＤＮコネクション識別情報と、アクセスシステム識別情報と、強制度とを含んだモバイルオペレータポリシーを送信し、
前記ＵＥは、
前記ＡＮＤＳＦからＰＤＮコネクション識別情報と、アクセスシステム識別情報と、強制度とを含んだモバイルオペレータポリシーを受信し、
前記モバイルオペレータポリシーに含まれる強制度が切り替えを強制する強制度の場合には、前記ＰＤＮコネクション識別情報に対応するＰＤＮコネクションの通信路を、モバイルオペレータポリシーに含まれているアクセスシステム識別情報に対応するアクセスシステムに強制的に切り替える要求を送信する、
ことを特徴とする。
【００２７】
本発明の移動通信システムは、
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムにおいて、
前記ＡＮＤＳＦは、
前記ＵＥにフロー識別情報と、アクセスネットワーク識別情報と、強制度とを含んだモバイルオペレータポリシーを送信し、
前記ＵＥは、
前記ＡＮＤＳＦからフロー識別情報と、アクセスネットワーク識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスネットワーク識別情報に対応するアクセスネットワークに強制的に切り替える要求を送信する、
ことを特徴とする。
【００２８】
本発明のＰＧＷは、上記の何れかに記載の移動通信システムに接続されることを特徴とする。
【００２９】
本発明の通信方法は、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにフロー識別情報と、アクセスシステム識別情報と、強制度とを含んだモバイルオペレータポリシーを送信し、
前記ＵＥは、
前記ＡＮＤＳＦからフロー識別情報と、アクセスシステム識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスシステム識別情報に対応するアクセスシステムに強制的に切り替える要求を送信する、
ことを特徴とする。
【００３０】
本発明の通信方法は、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにＡＰＮ識別子と、アクセスシステム識別情報と、強制度とを含んだモバイルオペレータポリシーを送信し、
前記ＵＥは、
前記ＡＮＤＳＦからＡＰＮ識別子と、アクセスシステム識別情報と、強制度とを含んだモバイルオペレータポリシーを受信し、
前記モバイルオペレータポリシーに含まれる強制度が切り替えを強制する強制度の場合には、前記ＡＰＮ識別子に対応するＡＰＮの通信路を、モバイルオペレータポリシーに含まれているアクセスシステム識別情報に対応するアクセスシステムに強制的に切り替える要求を送信する、
ことを特徴とする。
【００３１】
本発明の通信方法は、
ＰＧＷ（Packet Data Network Gateway）と、前記ＰＧＷと第１アクセスシステムを利用した通信路及び第２アクセスシステムを利用した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにＰＤＮコネクション識別情報と、アクセスシステム識別情報と、強制度とを含んだモバイルオペレータポリシーを送信し、
前記ＵＥは、
前記ＡＮＤＳＦからＰＤＮコネクション識別情報と、アクセスシステム識別情報と、強制度とを含んだモバイルオペレータポリシーを受信し、
前記モバイルオペレータポリシーに含まれる強制度が切り替えを強制する強制度の場合には、前記ＰＤＮコネクション識別情報に対応するＰＤＮコネクションの通信路を、モバイルオペレータポリシーに含まれているアクセスシステム識別情報に対応するアクセスシステムに強制的に切り替える要求を送信する、
ことを特徴とする。
【００３２】
本発明の通信方法は、
ＰＧＷ（Packet Data Network Gateway）と、前記ＰＧＷと第１アクセスシステムを利用した第１のアクセスネットワークを経由した通信路及び第２アクセスシステムを利用した第２のアクセスネットワークを経由した通信路を確立するＵＥ（User Equipment）と、前記ＵＥに対してモバイルオペレータポリシーを通知するＡＮＤＳＦ（Access Network Discovery and Selection Function）とを含む移動通信システムの通信方法であって、
前記ＡＮＤＳＦは、
前記ＵＥにフロー識別情報と、アクセスネットワーク識別情報と、強制度とを含んだモバイルオペレータポリシーを送信し、
前記ＵＥは、
前記ＡＮＤＳＦからフロー識別情報と、アクセスネットワーク識別情報と、強制度とを含んだモバイルオペレータポリシーを受信し、
前記モバイルオペレータポリシーに含まれる強制度が切り替えを強制する強制度の場合には、前記フロー識別情報に対応するフロー通信の通信路を、モバイルオペレータポリシーに含まれているアクセスネットワーク識別情報に対応するアクセスネットワークに強制的に切り替える要求を送信する、
ことを特徴とする。
【発明の効果】
【００３３】
本発明によれば、モバイルオペレータ（ＭＯ）は、ＵＥに強制度を持たせてＭＯポリシーを通知し、ＵＥへアクセスシステムの切り替えを強制する運用を行うことができ、ＬＴＥへのトラフィックの集中を適切に緩和することができる。
【００３４】
つまり、ＡＮＤＳＦからＵＥへＭＯポリシーを通知する際に、ＡＮＤＳＦがＵＥにＭＯポリシーの適用の強制度を強制として通知し、そのＭＯポリシーに含まれるアクセスシステムへの切り替えを強制することができる。
【００３５】
また、ＡＮＤＳＦは、ＵＥへＭＯポリシーを通知する際に、ＡＮＤＳＦがＵＥにＭＯポリシーの適用を強制度として、ＵＥに強制するだけでなく、ＭＯの希望と通知することや、ＵＥの任意と通知するといったＭＯポリシーにおける強制度を通知することが可能となる。
【図面の簡単な説明】
【００３６】
【図１】本実施形態における移動通信システム１の概要を説明するための図である。
【図２】第１実施形態におけるＵＥの機能構成を説明するための図である。
【図３】第１実施形態におけるＵＥポリシーのデータ構成の一例を示した図である。
【図４】第１実施形態におけるＡＮＤＳＦの機能構成を説明するための図である。
【図５】第１実施形態におけるＭＯポリシーの機能構成を説明するための図である。
【図６】ＩＰ移動通信ネットワークの構成を説明するための図である。
【図７】ＵＥとＡＮＤＳＦの処理フローについて説明するための図である。
【図８】第１実施形態（第１実施例）におけるアクセスシステム情報の一例を示す図である。
【図９】第１実施形態（第１実施例）におけるＭＯポリシーの一例を示す図である。
【図１０】第１実施形態（第１実施例）におけるアクセスシステムの切り替えについて説明するための図である。
【図１１】第１実施形態（第２実施例）におけるアクセスシステム情報の一例を示す図である。
【図１２】第１実施形態（第３実施例）におけるアクセスシステム情報の一例を示す図である。
【図１３】第１実施形態（第４実施例）におけるアクセスシステムの切り替えについて説明するための図である。
【図１４】第１実施形態（第５実施例）におけるアクセスシステムの切り替えについて説明するための図である。
【図１５】第２実施形態におけるＵＥポリシーのデータ構成の一例を示した図である。
【図１６】第２実施形態におけるＭＯポリシーのデータ構成を説明するための図である。
【図１７】第２実施形態（第１実施例）におけるアクセスシステム情報の一例を示す図である。
【図１８】第２実施形態（第１実施例）におけるアクセスシステムの切り替えについて説明するための図である。
【図１９】第２実施形態（第２実施例）におけるアクセスシステム情報の一例を示す図である。
【図２０】第２実施形態（第３実施例）におけるアクセスシステム情報の一例を示す図である。
【図２１】第２実施形態（第４実施例）におけるアクセスシステムの切り替えについて説明するための図である。
【図２２】第２実施形態（第５実施例）におけるアクセスシステムの切り替えについて説明するための図である。
【図２３】第３実施形態におけるＵＥポリシーのデータ構成の一例を示した図である。
【図２４】第３実施形態におけるＭＯポリシーのデータ構成を説明するための図である。
【図２５】第３実施形態（第１実施例）におけるＭＯポリシーのデータ構成を説明するための図である。
【図２６】第３実施形態（第１実施例）におけるアクセスシステムの切り替えについて説明するための図である。
【図２７】第３実施形態（第２実施例）におけるアクセスシステム情報の一例を示す図である。
【図２８】第３実施形態（第３実施例）におけるアクセスシステム情報の一例を示す図である。
【図２９】第４実施形態におけるＵＥポリシーのデータ構成の一例を示した図である。
【図３０】第４実施形態におけるＭＯポリシーのデータ構成の一例を示した図である。
【図３１】第４実施形態におけるＵＥとＡＮＤＳＦの処理フローについて説明するための図である。
【図３２】第４実施形態（第２実施例）におけるアクセスシステム情報の一例を示す図である。
【図３３】第４実施形態（第３実施例）におけるアクセスシステム情報の一例を示す図である。
【発明を実施するための形態】
【００３７】
以下、図面を参照して本発明を実施するための最良の形態について説明する。なお、本実施形態では、一例として、本発明を適用した場合の移動通信システムの実施形態について、図を用いて詳細に説明する。
【００３８】
［１．第１実施形態］
まず、本発明を適用した第１実施形態について、図面を参照して説明する。
【００３９】
［１．１  移動通信システムの概要］
図１は、本実施形態における移動通信システム１の概略を説明するための図である。本図に示すように、移動通信システム１は、ＵＥ（移動局装置）１０と、ＡＮＤＳＦ（通信路選択ポリシー管理装置）２０（Access Network Discovery and Selection Function）とがＩＰ移動通信ネットワーク５を介して接続されて構成されている。
【００４０】
ＩＰ移動通信ネットワーク５は、例えば、移動通信事業者が運用する無線アクセスネットワークとコアネットワークによって構成されるネットワークでもよいし、固定通信事業者が運用するブロードバンドネットワークであってもよい。移動通信事業者が運用するＩＰ移動通信ネットワークは後で詳細に説明する。
【００４１】
また、ブロードバンドネットワークは、ＡＤＳＬ（Asymmetric Digital Subscriber Line）等により接続し、光ファイバー等のデジタル回線による高速通信を提供する、通信事業者が運用するＩＰ通信ネットワークのことである。さらに、これらに限らずＷｉＭＡＸ（Worldwide Interoperability for Microwave Access）等で無線アクセスするネットワークであっても良い。
【００４２】
ＵＥ１０は、ＬＴＥやＷＬＡＮ等のアクセスシステムを用いて接続する移動通信端末であり、３ＧＰＰ  ＬＴＥの通信インタフェースやＷＬＡＮの通信インタフェース等を搭載して接続することにより、ＩＰアクセスネットワークへ接続することが可能である。
【００４３】
ＡＮＤＳＦ２０は、ＩＰアクセスネットワークへ有線回線等を利用して接続される。例えば、ＡＤＳＬ（Asymmetric Digital Subscriber Line）や光ファイバー等によって構築される。ただし、これに限らずＬＴＥ（Long Term Evolution）や、ＷＬＡＮ（Wireless LAN）、ＷｉＭＡＸ（Worldwide Interoperability for Microwave Access）等の無線アクセスネットワークであっても良い。
【００４４】
［１．２  装置構成］
続いて、各装置構成について図を用いて簡単に説明する。
【００４５】
[１．２．１  ＵＥの構成]
図２は、本実施形態におけるＵＥ１０の機能構成を示す。ＵＥ１０は、制御部１００に、ＬＴＥインタフェース部１１０と、ＷＬＡＮインタフェース部１２０と、記憶部１４０とがバスを介して接続されている。
【００４６】
制御部１００は、ＵＥ１０を制御するための機能部である。制御部１００は、記憶部１４０に記憶されている各種プログラムを読み出して実行することにより各種処理を実現する。
【００４７】
ＬＴＥインタフェース部１１０は、ＵＥ１０がＬＴＥ基地局に接続し、ＩＰアクセスネットワークへ接続するための機能部である。また、ＬＴＥインタフェース部１１０には、外部アンテナ１１２が接続されている。
【００４８】
ＷＬＡＮインタフェース部１２０は、ＵＥ１０がＷＬＡＮアクセスポイントに接続し、ＩＰアクセスネットワークへ接続するための機能部である。また、ＷＬＡＮインタフェース部１２０には、外部アンテナ１２２が接続されている。
【００４９】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＵＥポリシー１４２が記憶されている。
【００５０】
図３は、ＵＥポリシー１４２の一例を示した図である。例えば、図３（ａ）に示すように、フロー識別子（例えば、「フロー１」）と、アクセスシステム（例えば、「ＬＴＥ」）とを対応付けて記憶し、ＵＥ１０がフロー毎に適用するアクセスシステムを管理する。
【００５１】
ここで、フローは、送信元ＩＰアドレス、送信先ＩＰアドレス、送信元ポート番号、送信先ポート番号、プロトコル番号等により識別可能なデータの流れのことである。またフローは、これに限らず、ある時刻から一定時間送受信されるデータなどや、ＱｏＳレベルで識別可能なデータ等、様々な送受信データでもよい。また、アクセスシステムとは、ＬＴＥである必要はなく、ＷＬＡＮやＷｉＭＡＸであっても良い。
【００５２】
[１．２．２  ＡＮＤＳＦの構成]
続いて、本実施形態におけるＡＮＤＳＦ２０の機能構成を図４に示す。ＡＮＤＳＦ２０では、制御部２００に、ＩＰ移動通信ネットワークインタフェース部２１０と、記憶部２４０とがバスを介して接続されている。
【００５３】
制御部２００は、ＡＮＤＳＦ２０を制御するための機能部である。制御部２００は、記憶部２４０に記憶されている各種プログラムを読み出して実行することにより各種処理を実現する。
【００５４】
ＩＰ移動通信ネットワークインタフェース部２１０は、ＡＮＤＳＦ２０がＩＰ移動通信ネットワークに接続するための機能部である。
【００５５】
記憶部２４０は、ＡＮＤＳＦ２０の各種動作に必要なプログラム、データ等を記憶する機能部である。記憶部１４０は、例えば、半導体メモリや、ＨＤＤ（Hard Disk Drive）等により構成されている。さらに、記憶部２４０には、ＭＯポリシー２４２が記憶されている。
【００５６】
図５は、ＭＯポリシー２４２の例を示した図である。例えば、図５に示すように、フロー識別子（例えば、「フロー１」）と、強制度（例えば、「ｓｈａｌｌ」）と、アクセスシステム（例えば、「ＬＴＥ」）と、を対応づけて記憶し、ＡＮＤＳＦ２０がＵＥ１０へ通知するフロー毎に適用するアクセスシステムを管理する。
【００５７】
ここで、強制度とは、ＵＥ１０において、ＡＮＤＳＦ２０から通知されたＭＯポリシー２４２を適用するかどうかを示す程度であり、「ｓｈａｌｌ」の場合には、強制度が高く、ＡＮＤＳＦ２０からＵＥ１０へ強制度「ｓｈａｌｌ」で通知されたフローにおけるアクセスシステムにおいては、そのフローにおいて必ずそのアクセスシステムを利用しなければならない。つまり、ＡＮＤＳＦ２０からＵＥ１０へ通知されたＭＯポリシー２４２をＵＥポリシー１４２に適用しなければならない。
【００５８】
例えば、図３（ａ）のＵＥポリシーにおけるフロー２において、アクセスシステムはＬＴＥとなっている。一方、図５のＭＯポリシー２４２におけるフロー２において、アクセスシステムはＷＬＡＮとなっている。この場合、ＡＮＤＳＦ２０からＵＥ１０へＭＯポリシー２４２におけるフロー２のエントリー（強制度が「ｓｈａｌｌ」、アクセスシステムが「ＷＬＡＮ」）が通知された場合には、ＭＯポリシー２４２におけるフロー２をＵＥポリシー１４２におけるフロー２へ適用しなければならないため、図３（ｂ）の変更後のＵＥポリシーに示すように、フロー２のアクセスシステムをＷＬＡＮへ変更することとなる。
【００５９】
[１．２．３  ＩＰ移動通信ネットワークの構成例]
図６に示すように、移動通信システムは、ＵＥ１０と、ＩＰ移動通信ネットワーク５と、ＰＤＮ９（Packet Data Network）とから構成される。さらに、ＩＰ移動通信ネットワーク５はコアネットワーク７と各無線アクセスネットワークで構成される。この、コアネットワークの詳細な構成について図６（ａ）に示している。
【００６０】
なお、ＰＤＮ９は、パケットでデータのやり取り行うことができるネットワークのことであり、例えば、インターネットやＩＭＳがある。
【００６１】
コアネットワーク７は、ＰＧＷ（アクセス制御装置）３０（Packet Data Network Gateway）と、ＳＧＷ３５(Serving Gateway)と、ＭＭＥ４０(Mobile Management Entity)と、ＨＳＳ５０(Home Subscriber Server)と、ＡＡＡ５５(Authentication, Authorization, Accounting)と、ＰＣＲＦ６０(Policy and charging rules function)と、ｅＰＤＧ６５(enhanced Packet Data Gateway)とを含んで構成される。
【００６２】
無線アクセスネットワークは、複数の異なるアクセスネットワークで構成されてよい。それぞれのアクセスネットワークはコアネットワーク７に接続されている。さらに、ＵＥ１０は無線アクセスネットワークに無線接続することができる。
【００６３】
無線アクセスネットワークには、ＬＴＥアクセスシステムで接続できるＬＴＥアクセスネットワーク（ＬＴＥ  ＡＮ８０）や、ＷＬＡＮアクセスシステムで接続できるアクセスネットワークを構成することができる。
【００６４】
さらに、ＷＬＡＮアクセスシステムで接続可能なアクセスネットワークは、ｅＰＤＧ６５をコアネットワークへの接続装置として接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７０）とが構成可能である。
【００６５】
なお、各装置はＥＰＳを利用した移動通信システムにおける従来の装置と同様に構成されるため、詳細な説明は省略するが、簡単に機能を説明すると、ＰＧＷ３０はＰＤＮ９とＳＧＷ３５とｅＰＤＧ６５と、ＷＬＡＮ  ＡＮａと、ＰＣＲＦ６０と、ＡＡＡ５５とに接続されており、ＰＤＮ９とコアネットワーク７のゲートウェイ装置としてユーザデータ配送を行う。
【００６６】
ＳＧＷ３５は、ＰＧＷ３０と、ＭＭＥ４０とＬＴＥ  ＡＮ８０とに接続されており、コアネットワーク７とＬＴＥ  ＡＮ８０とのゲートウェイ装置としてユーザデータの配送を行う。
【００６７】
ＭＭＥ４０は、ＳＧＷ３５とＬＴＥ  ＡＮ８０に接続されており、ＬＴＥ  ＡＮ８０を経由したＵＥ１０のアクセス制御を行うアクセス制御装置である。
【００６８】
ＨＳＳ５０は、ＳＧＷ３５とＡＡＡ５５とに接続されており、加入者情報の管理を行う。また、ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。ＰＣＲＦ６０は、ＰＧＷ３０と、ＷＬＡＮ  ＡＮａ７０と、ＡＡＡ５５とに接続されており、データ配送に対するＱｏＳ管理を行う。
【００６９】
ｅＰＤＧ６５は、ＰＧＥ３０と、ＷＬＡＮ  ＡＮｂ７５とに接続されており、コアネットワーク７と、ＷＬＡＮ  ＡＮｂ７５とのゲートウェイ装置としてユーザデータの配送を行う。
【００７０】
また、図６（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した種々の装置が考えられるが、本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてよい。
【００７１】
さらに、ＷＬＡＮ  ＡＮａ７０はＷＬＡＮ  ＡＰａ７２と、ＧＷ７４(Gateway)とが含まれて構成される。ＷＬＡＮ  ＡＰ７２はＷＬＡＮアクセスシステムでＵＥ１０が接続する無線基地局であり、ＷＬＡＮ  ＡＮ７０には１又は複数の無線基地局が含まれて構成されてよい。ＧＷ７４はコアネットワーク７とＷＬＡＮ  ＡＮａ７０のゲートウェイ装置である。また、ＷＬＡＮ  ＡＰａ７２とＧＷ７４とは、単一の装置で構成されてもよい。
【００７２】
このように、ＷＬＡＮ  ＡＮａ７０に含まれるゲートウェイは複数のコアネットワーク内装置に接続することができる。コアネットワークを運用する事業者とＷＬＡＮ  ＡＮａ７０を運用する事業者が異なる場合等では、事業者間に運用上の契約や規約等により、信頼関係が結ばれている場合にこのような構成で運用することができる。言い換えると、ＷＬＡＮ  ＡＰａ７２はコアネットワーク７を運用する事業者に対して信頼性のあるアクセスネットワークである。
【００７３】
また、ＷＬＡＮ  ＡＮｂ７５はＷＬＡＮ  ＡＰｂ７６を含んで構成される。ＷＬＡＮ  ＡＰ７６はＷＬＡＮアクセスシステムでＵＥ１０が接続する無線基地局であり、ＷＬＡＮ  ＡＮ７５には１又は複数の無線基地局が含まれて構成されてよい。
【００７４】
このように、ＷＬＡＮ  ＡＮｂ７５はコアネットワーク７に含まれる装置であるｅＰＤＧ６５をゲートウェイとしてコアネットワーク７に接続される。ｅＰＤＧ６５は安全性を確保するためのセキュリティ機能を持つ。コアネットワークを運用する事業者とＷＬＡＮ  ＡＮａ７０を運用する事業者が異なる場合等では、事業者間に運用上の契約や規約等により、信頼関係が結ばれていない場合にこのような構成で運用する。言い換えると、ＷＬＡＮ  ＡＰａはコアネットワーク７を運用する事業者に対して信頼性のないアクセスネットワークであり、コアネットワーク７に含まれるｅＰＤＧ６５において安全性を提供している。
【００７５】
なお、本明細書において、ＵＥ１０が各無線アクセスネットワークに接続されるとは、各無線アクセスネットワークに含まれる基地局装置やアクセスポイント等に接続されることをいい、送受信されるデータや信号等も、基地局装置やアクセスポイントを経由している。
【００７６】
例えば、ＬＴＥ  ＡＮ８０にＵＥ１０が接続されるとは、ＵＥ１０がｅＮＢ４５を介して接続されることいい、ＷＬＡＮ  ＡＮａ７０に接続されるとは、ＷＬＡＮ  ＡＰａ７２及び／又はＧＷ７４を介して接続されることをいう。また、ＵＥ１０がＷＬＡＮ  ＡＮｂ７５に接続されるとは、ＵＥ１０がＷＬＡＮ  ＡＰｂ７６に接続されることを言う。
【００７７】
［１．３  実施例］
［１．３．１  第１実施例］
続いて、上述した移動通信システムにおける具体的な処理の実施例について説明する。まず、第１実施例として、ＵＥ１０がＬＴＥ  ＡＮ８０の基地局装置（ｅＮＢ４５）及びＷＬＡＮ  ＡＮａ７０の装置（ＷＬＡＮ  ＡＰａ７２及び／又はＧＷ７４）に接続している状態において、図３（ａ）変更前のＵＥポリシーに従って、フロー１はＬＴＥを経由（ｅＮＢ４５、ＳＧＷ３５、ＰＧＷ３０を経由）した通信路により通信を行い、フロー２はＬＴＥを経由（ｅＮＢ４５、ＳＧＷ３５、ＰＧＷ３０を経由）した通信路により通信を行い、フロー３はＷＬＡＮを経由（ＷＬＡＮ  ＡＮａ７０、ＰＧＷ３０を経由した通信路により通信を行っている状態において、ＡＮＤＳＦ２０からＵＥ１０へ図５で示すＭＯポリシー２４２としてフロー２において、強制度「ｓｈａｌｌ」、アクセスシステムとして「ＷＬＡＮ」を送信することによって、ＭＯポリシー２４２をＵＥポリシー１４２に反映し、フロー２においてアクセスシステムＬＴＥ経由（ｅＮＢ４５、ＳＧＷ３５、ＰＧＷ３０を経由）した通信路によるデータの送受信からＷＬＡＮ経由（ＷＬＡＮ  ＡＮａ７０、ＰＧＷ３０を経由）した通信路によるデータの送受信へ切り替えるための手続きについて説明する。
【００７８】
なお、各通信路はアクセスシステムにより識別可能であり、ＵＥ１０、ＰＧＷ３０及びＡＮＤＳＦ２０は、アクセスシステムを通信路の識別情報として手続きを行う。
【００７９】
このように、ＭＯは、ＵＥ１０がフローの通信に利用するアクセスシステムを選択し、ＭＯポリシーによって通知することができる。
【００８０】
なお、本実施形態では、ＬＴＥ経由（ｅＮＢ４５、ＳＧＷ３５、ＰＧＷ３０を経由）でのデータの送受信からＷＬＡＮ経由（ＷＬＡＮ  ＡＮａ７０、ＰＧＷ３０を経由）でのデータの送受信への切り替え手続きについて説明するが、ＡＮＤＳＦ２０からＵＥ１０へ図５で示すＭＯポリシー２４２としてフロー２において、強制度ｓｈａｌｌ、アクセスシステムをＷｉＭＡＸとして送信することによって、ＬＴＥ経由（ｅＮＢ４５、ＳＧＷ３５、ＰＧＷ３０を経由）でのデータの送受信からＷｉＭＡＸ経由（例えば、ＷｉＭＡＸ、ＰＧＷを経由）でのデータの送受信へ切り替えることも、同様の手続きでおこなうことができる。
【００８１】
図７を用いて順を追って説明する。ＵＥ１０は、ＬＴＥ  ＡＮ８０及び、ＷＬＡＮ  ＡＮａ７０に接続し、通信を開始する（Ｓ９０２）。このとき、ＵＥ１０は、図３（ａ）に示すＵＥポリシーに基づいて、フロー１はＬＴＥ経由（ｅＮＢ４５、ＳＧＷ３５、ＰＧＷ３０を経由）でのデータの送受信を行い、フロー２はＬＴＥ経由（ｅＮＢ４５、ＳＧＷ３５、ＰＧＷ３０を経由）でのデータの送受信を行い、フロー３はＷＬＡＮ経由（ＷＬＡＮ  ＡＮａ７０、ＰＧＷ３０を経由）でのデータの送受信を行っているものとする。また、ＷＬＡＮ  ＡＮａ７０経由とは、ＷＬＡＮ  ＡＰａ７２及び／又はＧＷ７４経由で接続されることをいう。
【００８２】
続いて、ＵＥ１０は、ＡＮＤＳＦ２０を探索し、探索したＡＮＤＳＦ２０とセキュアな通信を確保する（Ｓ９０４）。ＵＥ１０がＡＮＤＳＦ２０を探索する方法は種々考えられるが、例えば、ＰＤＮに配置されたＤＮＳサーバへＵＥ１０が問い合わせることにより、ＡＮＤＳＦ２０を探索することができる。また、ＵＥ１０とＡＮＤＳＦ２０とがセキュアな通信を確保する方法は、種々考えられるが、例えば、ＩＰＳｅｃを利用しても良い。
【００８３】
次に、ＵＥ１０は、ＡＮＤＳＦ２０へアクセスシステム情報の要求を送信する（Ｓ９０６）。このとき、図８に示すように、アクセスシステム情報の要求には、ＵＥ１０の利用可能なアクセスシステムや、ＵＥ１０の位置情報を含める。ここでは、ＵＥ１０の利用可能なアクセスシステムとして、アクセスシステム１の「ＬＴＥ」とアクセスシステム２の「ＷＬＡＮ」とを含める。位置情報には、位置情報１を含めるが、これに限らず、ＬＴＥ基地局装置のＣｅｌｌ  ＩＤやＴＡＩ（Tracking Area ID）、ＧＰＳ（Global Positioning System、全地球測位システム）の情報等を含めても良い。
【００８４】
ＵＥ１０からアクセスシステム情報の要求を受信したＡＮＤＳＦ２０は、ＵＥ１０へアクセスシステム情報の応答を送信する（Ｓ９０８）。ＭＯはアクセスシステム情報の応答により、ＭＯポリシーをＵＥ１０に通知する。具体的には図９に示すように、フロー識別子「フロー２」や強制度「ｓｈａｌｌ」、アクセスシステム「ＷＬＡＮ」を含める。ここで、強制度「ｓｈａｌｌ」は、ＵＥ１０へフロー２において、ＷＬＡＮを強制することを示し、強制度「ｓｈａｌｌ」が含められたエントリーを受け取ったＵＥ１０は、そのフロー（フロー２）において、必ずそのエントリーに含められたアクセスシステム（ＷＬＡＮ）を利用しなければならない。
【００８５】
なお、本実施形態では、ＵＥ１０からのアクセスシステム情報の要求をＡＮＤＳＦ２０が受信した後、ＡＮＤＳＦ２０は、アクセスシステム情報の応答としてＭＯポリシー２４２をＵＥ１０へ送信しているが、これに限らずＵＥ１０からの要求が無くても任意のタイミングで、ＭＯポリシー２４２をＵＥ１０へ送信しても良い。
【００８６】
アクセスシステム情報の応答を受信したＵＥ１０は、アクセスシステム情報の応答に含められた情報に従って、アクセスシステムの選択とフローの利用するアクセスシステムの切り替えを決定する（Ｓ９１０）。ここで、アクセスシステム情報の応答には、フロー２において、強制度「ｓｈａｌｌ」、アクセスシステム「ＷＬＡＮ」の情報が含められていたので、図３（ａ）変更前のＵＥポリシー１４２におけるフロー２のアクセスシステムのＬＴＥを、図３（ｂ）変更後のＵＥポリシーのように、ＵＥポリシー１４２におけるフロー２においてアクセスシステムをＷＬＡＮへ変更する。つまり、ＵＥ１０は、フロー２におけるアクセスシステムをＬＴＥからＷＬＡＮへ変更し、アクセスシステムの切り替えを決定する。
【００８７】
なお、本実施形態では、ＵＥ１０は、ＬＴＥ  ＡＮ８０及びＷＬＡＮ  ＡＮａ７０に接続し、通信を開始している状態において（Ｓ９０２）、ＭＯポリシーを受信する例を説明したが、これに限らず、ＬＴＥ  ＡＮ８０又はＷＬＡＮ  ＡＮａ７０のいずれかに接続している状態で受信してもよい。
【００８８】
続いて、ＵＥ１０は、アクセスシステムの切り替えを実行する。アクセスシステムの切り替えの具体的な手続きについて図１０を用いて説明する。
【００８９】
なお、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮａ７０を選択し、アクセスシステムの切り替え手続きを行う例を説明する。
【００９０】
まず、アクセスシステムの切り替え手続きの開始の契機は、ＵＥ１０がＷＬＡＮ  ＡＮａ７０へＩＰ  ｆｌｏｗ  ｍｏｂｉｌｉｔｙトリガーを送信し、フローの通信に用いるアクセスシステムの切り替えを要求することにより開始する（Ｓ１００２）。
【００９１】
ＩＰ  ｆｌｏｗ  ｍｏｂｉｌｉｔｙトリガーには、ＵＥポリシーに基づき、切り替えを要求するフローの識別情報と、切り替え先のアクセスシステムの識別情報とを含めて送信する。ここで、ＷＬＡＮ  ＡＮａ７０へ送信するとは、ＷＬＡＮ  ＡＮａ７０に含まれる装置（例えば、ＷＬＡＮ  ＡＰａ７２又はＧＷ７４）に送信することをいう。
【００９２】
続いて、ＷＬＡＮ  ＡＮａ７０は、ＰＧＷ３０へプロキシバインディング更新を送信し、ＵＥ１０のフローの通信に用いるアクセスシステムの切り替え要求を通知する（Ｓ１００４）。このとき、ＷＬＡＮ  ＡＮａ７０は、ＰＧＷ３０へ、ルーティングポリシーとして、フロー２において、ＬＴＥ経由（ＰＧＷ３０、ＳＧＷ３５、ｅＮＢ４５経由）でのデータの送受信からＷＬＡＮ経由（ＰＧＷ３０、ＷＬＡＮ  ＡＮａ７０）でのデータの送受信へ切り替えることを通知する。
【００９３】
プロキシバインディング更新には、切り替えを要求するフローの識別情報と、切り替え先のアクセスシステムの識別情報とを含めて送信する。ここで、ＷＬＡＮ  ＡＮａ７０から送信されるとは、ＷＬＡＮ  ＡＮａ７０に含まれる装置（例えば、ＷＬＡＮ  ＡＰａ７２又はＧＷ７４）から送信することをいう。
【００９４】
プロキシバインディング更新を受信したＰＧＷ３０は、ＩＰ−ＣＡＮセッションの変更手続きを開始する（Ｓ１００６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）でデータの送受信を行っているフロー２を、ＷＬＡＮ経由（ＰＧＷ３０、ＷＬＡＮ  ＡＮａ７０）でのデータの送受信へ切り替えるよう、データベースを更新する。
【００９５】
ここで、ＰＧＷ３０は、フローの識別情報と、フローの利用する通信路を対応づけてバインディングとして管理している。フローの識別情報は、パケットの送信元ＩＰアドレス、送信先ＩＰアドレス、送信元ポート番号、送信先ポート番号、プロトコル番号等である。通信路は、アクセスシステムにより識別して管理することもできるし、各アクセスシステムを介した通信路毎に識別情報を付与して管理してもよい。これにより、フロー毎に通信路を選択してデータを送受信できるようになる。
【００９６】
次に、ＧＷ制御セッションとＱｏＳルール変更手続きを行う。つまり、ＰＧＷ３０からフロー２におけるＬＴＥ経由（ＰＧＷ３０、ＳＧＷ３５、ｅＮＢ４５経由）のデータの送受信をＷＬＡＮ  ＡＮａ７０経由（ＰＧＷ３０、ＷＬＡＮ  ＡＮａ７０）でのデータの送受信へ変更する。このとき、フロー２におけるＷＬＡＮ  ＡＮａ７０経由（ＰＧＷ３０、ＷＬＡＮ  ＡＮａ７０）でのデータの送受信におけるＱｏＳを変更する。
【００９７】
続いて、ＰＧＷ３０は、バインディングの更新及び、ＩＰＣＡＮセッションの変更、ＧＷ制御セッションとＱｏＳルール変更手続きの完了を確認し、ＷＬＡＮ  ＡＮａ７０へプロキシバインディング応答を送信してＵＥ１０の要求を許可する（Ｓ１０１０）。プロキシバインディング応答を受信したＷＬＡＮ  ＡＮａ７０は、ＩＰ  ｆｌｏｗ  ｍｏｂｉｌｉｔｙ  ａｃｋを送信してＵＥ１０の要求を許可する（Ｓ１０１２）。
【００９８】
一方、ＰＣＲＦ６０は、ＧＷ制御制御セッションとＱｏＳルール変更手続きを行う（Ｓ１０１４）。つまり、フロー２におけるＬＴＥ経由でのデータの送受信を終了する。このとき、フロー２におけるＬＴＥ経由（ＰＧＷ３０、ＳＧＷ３５、ｅＮＢ４５経由）でのデータの送受信におけるＱｏＳを変更する。
【００９９】
以上の手続きにより、ＵＥ１０とＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてフロー２の通信を継続する。
【０１００】
このように、ＡＮＤＳＦ２０からＵＥ１０へフロー２において、強制度「ｓｈａｌｌ」として、アクセスシステムをＷＬＡＮとして通知することにより、フロー２におけるＬＴＥ経由（ＰＧＷ３０、ＳＧＷ３５、ｅＮＢ４５経由）でのデータの送受信をＷＬＡＮ経由（ＷＬＡＮ  ＡＮａ７０、ＰＧＷ３０）でのデータの送受信へ切り替えることができる。
【０１０１】
言い換えると、ＭＯは、ＵＥ１０に対して実施強制的のある切り替え指示をＵＥ１０に送信し、ＭＯポリシーに従った切り替えを実施させることができる。
【０１０２】
［１．３．２  第２実施例］
続いて第２実施例について説明する。第２実施例では、ＡＮＤＳＦ２０が、ＵＥ１０へ送信するアクセスシステム情報の応答（Ｓ９０８）において、図９の構成を利用するのではなく、図１１の構成を利用する。ここで、図９の構成と図１１の構成との違いは、強制度「ｓｈａｌｌ」ではなく、強制度「ｓｈｏｕｌｄ」を利用している。強制度「ｓｈｏｕｌｄ」は、ＭＯからの希望を示しており、ＵＥ１０は、ＭＯポリシー２４２をＵＥポリシー１４２へ必ずしも反映する必要はない。
【０１０３】
つまり、図７のＳ９０８におけるアクセスシステム情報の応答において、強制度「ｓｈｏｕｌｄ」を通知されたＵＥ１０は、ＭＯポリシー２４２をＵＥポリシー１４２へ反映するかどうかを選択し、ＭＯポリシー２４２をＵＥポリシー１４２として変更する場合には、図３（ｂ）の変更後のＵＥポリシーへ変更する。ＵＥポリシー１４２を変更したＵＥ１０が変更した場合の移行の手続きは先ほど説明した通りであり、図７におけるＳ９１０及びＳ９１２の処理を実行する。その後、第１実施例と同様の切り替え手続きを行う。
【０１０４】
以上の手続きにより、ＵＥ１０とＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてフロー２の通信を継続する。
【０１０５】
一方、ＵＥ１０がＭＯポリシー２４２をＵＥポリシー１４２として変更しない場合には、図３（ａ）の変更前のＵＥポリシーから変更しない。ＵＥ１０がＵＥポリシー１４２を変更しなかった場合、手続きを終了する。
【０１０６】
［１．３．３  第３実施例］
続いて、第３実施例について説明する。第３実施例は、ＡＮＤＳＦ２０が、ＵＥ１０へ送信するアクセスシステム情報の応答（Ｓ９０８）において、図９の構成や図１１の構成を利用するのではなく、図１２の構成を利用する。
【０１０７】
図９の構成や図１１の構成と図１２の構成との違いは、強制度「ｓｈａｌｌ」や強制度「ｓｈｏｕｌｄ」ではなく、強制度「ｍａｙ」を利用している。強制度「ｍａｙ」は、ＭＯからの強制度が低く、ＵＥ１０の任意でＭＯポリシー２４２を利用するかどうか決定することができることを示している。
【０１０８】
つまり、図７のＳ９０８におけるアクセスシステム情報の応答において、強制度「ｍａｙ」を通知されたＵＥ１０は、ＭＯポリシー２４２をＵＥポリシー１４２へ反映するかどうかを選択し、ＭＯポリシー２４２をＵＥポリシー１４２として変更する場合には、図３（ｂ）の変更後のＵＥポリシーへ変更する。ＵＥポリシー１４２を変更したＵＥ１０が変更した場合の移行の手続きは先ほど説明した通りであり、図７におけるＳ９１０の処理及びＳ９１２の処理を実行する。その後、第１実施例と同様の切り替え手続きを行う。
【０１０９】
以上の手続きにより、ＵＥ１０とＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてフロー２の通信を継続する。
【０１１０】
一方、ＵＥ１０がＭＯポリシー２４２をＵＥポリシー１４２として変更しない場合には、図３（ａ）の変更前のＵＥポリシーから変更しない。ＵＥ１０がＵＥポリシー１４２を変更しなかった場合、手続きを終了する。
【０１１１】
［１．３．４  第４実施例］
続いて、第４実施例について説明する。第４実施例は、図７におけるＳ９１２において、図１０の手続きを利用するのではなく、図１３の手続きを利用する。図１０の手続きと図１３の手続きとの違いは、接続するアクセスネットワークが異なることにある。図１０の手続きでは、ＷＬＡＮ  ＡＮａ７０に接続していたが、図１３の手続きでは、ＷＬＡＮ  ＡＮｂ７５に接続する。
【０１１２】
第１実施例で説明したように、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮｂ７５を選択し、アクセスシステムの切り替え手続きを行う例である。
【０１１３】
つまり、ＵＥ１０は、ＬＴＥ経由（ＰＧＷ３０、ＳＧＷ３５、ｅＮＢ４５経由）からＷＬＡＮ  ＡＮａ７０、ＰＧＷ３０を経由するＷＬＡＮではなく、ＷＬＡＮ  ＡＮｂ７５、ｅＰＤＧ６５、ＰＧＷ３０を経由するＷＬＡＮへ切り替えることとなる。
【０１１４】
図１３を用いて、図７におけるＳ９１２のＵＥ１０によるフロー移動手続きについて説明する。まず、ＵＥ１０は、ＩＰ  ｆｌｏｗ  ｍｏｂｉｌｉｔｙトリガーをｅＰＤＧ６５へ送信し、フローの通信に用いるアクセスシステムの切り替えを要求する（Ｓ１３０２）。
【０１１５】
ＩＰ  ｆｌｏｗ  ｍｏｂｉｌｉｔｙトリガーには、ＵＥポリシーに基づき、切り替えを要求するフローの識別情報と、切り替え先のアクセスシステムの識別情報とを含めて送信する。
【０１１６】
ＵＥ１０からＩＰ  ｆｌｏｗ  ｍｏｂｉｌｉｔｙ  トリガーを受信したｅＰＤＧ６５は、プロキシバインディング更新をＰＧＷ３０へ送信し、ＵＥ１０のフローの通信に用いるアクセスシステムの切り替え要求を通知（Ｓ１３０４）。プロキシバインディング更新には、切り替えを要求するフローの識別情報と、切り替え先のアクセスシステムの識別情報とを含めて送信する。
【０１１７】
プロキシバインディング更新を受信したＰＧＷ３０は、ＩＰ−ＣＡＮセッションの変更手続きを開始する（Ｓ１３０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）で通信を行っているフロー２を、ＷＬＡＮ経由（ＰＧＷ３０、ｅＰＤＧ６５、ＷＬＡＮ  ＡＮｂ７５）での通信へ切り替えるよう、データベースを更新する。ここで、ＰＧＷ３０は、フローを管理しており、パケットの送信元ＩＰアドレス、送信先ＩＰアドレス、送信元ポート番号、送信先ポート番号、プロトコル番号を確認して、適切なアクセスシステムにデータを送受信できる管理している。
【０１１８】
次に、ＧＷ制御セッション変更手続きを行う（Ｓ１３０８）。つまり、ＰＧＷ３０からフロー２におけるＬＴＥ経由（ＰＧＷ３０、ＳＧＷ３５、ｅＮＢ４５経由）の通信をＷＬＡＮ経由（ＰＧＷ３０、ｅＰＤＧ６５、ＷＬＡＮ  ＡＮｂ７５）へ変更する。
【０１１９】
続いて、ＰＧＷ３０は、バインディングの更新及びＩＰ―ＣＡＮセッションの変更、ＧＷ制御セッション変更手続きの完了を確認し、ＷＬＡＮ  ＡＮｂ７５へプロキシバインディング応答を送信してＵＥ１０の要求を許可する（Ｓ１３１０）。プロキシバインディング応答を受信したＷＬＡＮ  ＡＮｂ７５は、ＩＰ  ｆｌｏｗ  ｍｏｂｉｌｉｔｙ  ａｃｋをＵＥ１０に送信してＵＥ１０の要求を許可する（Ｓ１３１２）。
【０１２０】
一方、ＰＣＲＦ６０は、ＧＷ制御制御セッション変更手続きを行う（Ｓ１３１４）。つまり、フロー２におけるＬＴＥ経由での通信を終了する。
【０１２１】
なお、ＷＬＡＮ  ＡＮｂ７５が送受信するとは、ＵＥ１０がＷＬＡＮ  ＡＮｂ７５に含まれる装置（例えば、ＷＬＡＮ  ＡＰｂ７６）と送受信することをいう。
【０１２２】
以上の手続きにより、ＵＥ１０とＰＧＷ３０は、ＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えてフロー２の通信を継続する。
【０１２３】
［１．３．５  第５実施例］
続いて第５実施例について説明する。第５実施例は、図７におけるＳ９１２において、図１０の手続きや図１３の手続きを利用するのではなく、図１４の手続きを利用する。
【０１２４】
図１０の手続きや図１３の手続きと図１４の手続きとの違いは、バインディング更新がＵＥ１０から送信されることにある。図１０の手続きや図１３の手続きでは、ＷＬＡＮ  ＡＮａ７０やｅＰＤＧ６５によってバインディング更新が送信されていたが、図１４の手続きでは、ＵＥ１０がモバイルＩＰの機能を利用することによって、バインディング更新をＰＧＷ３０へ送信することが可能となる。
【０１２５】
なお、第４実施例と同様に、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮｂ７５を選択し、アクセスシステムの切り替え手続きを行う例である。
【０１２６】
接続するＷＬＡＮは、ＷＬＡＮ  ＡＮｂ７５（ＷＬＡＮ  ＡＮｂ７５、ｅＰＤＧ６５、ＰＧＷ３０経由）で説明を行うが、ＷＬＡＮ  ＡＮａ７０（ＷＬＡＮ  ＡＮａ７０、ＰＧＷ３０経由）の場合でも同様の手続きを利用可能である。
【０１２７】
図１４を用いて、図７における９１２のＵＥ１０によるフロー移動手続きについて説明する。まず、ＵＥ１０は、ＵＥ１０によるリソース変更要求手続きを行う（Ｓ１４０２）。これは、ＬＴＥからＷＬＡＮ  ＡＮｂ７５（ＷＬＡＮ  ＡＮｂ７５、ｅＰＤＧ６５、ＰＧＷ３０経由）へ切り替える前に、ＷＬＡＮ  ＡＮｂ７５（ＷＬＡＮ  ＡＮｂ７５、ｅＰＤＧ６５、ＰＧＷ３０経由）へ切り替えるために必要なリソースを割り当てている。
【０１２８】
続いて、ＵＥ１０は、バインディング更新をＰＧＷ３０へ送信し、フローの通信に用いるシステムの切り替えを要求する（Ｓ１４０４）。このとき、ＵＥ１０は、バインディング更新に、ＵＥポリシーに基づき、切り替えを要求するフローの識別情報と、切り替え先のアクセスシステムの識別情報とを含めて送信する。
【０１２９】
プロキシバインディング更新を受信したＰＧＷ３０は、ＩＰ−ＣＡＮセッションの変更手続きを開始する（Ｓ１４０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）で通信を行っているフロー２を、ＷＬＡＮ経由（ＰＧＷ３０、ＷＬＡＮ  ＡＮａ７０）での通信へ切り替えるよう、データベースを更新する。
【０１３０】
ここで、ＰＧＷ３０は、フローの識別情報と、フローの利用する通信路を対応づけてバインディングとして管理している。フローの識別情報は、パケットの送信元ＩＰアドレス、送信先ＩＰアドレス、送信元ポート番号、送信先ポート番号、プロトコル番号等である。通信路は、アクセスシステムにより識別して管理することもできるし、各アクセスシステムを介した通信路毎に識別情報を付与して管理してもよい。これにより、フロー毎に通信路を選択してデータを送受信できるようになる。
【０１３１】
続いて、ＰＧＷ３０は、バインディングの更新及びＩＰ―ＣＡＮセッションの変更手続きの完了を確認し、ＵＥ１０へバインディング応答を送信してＵＥ１０の要求を許可する（Ｓ１４０８）。
【０１３２】
一方、ＰＣＲＦ６０は、ＧＷ制御制御セッション変更及びＱｏＳルール生成手続きを行う（Ｓ１４１０）。つまり、フロー２におけるＬＴＥ経由（ＰＧＷ３０、ＳＧＷ３５、ｅＮＢ４５経由）での通信を終了する。このとき、フロー２におけるＬＴＥ経由（ＰＧＷ３０、ＳＧＷ３５、ｅＮＢ４５経由）での通信におけるＱｏＳを変更する。
【０１３３】
以上の手続きにより、ＵＥ１０がフロー毎にＬＴＥ経由または、ＷＬＡＮ経由でデータの送受信を行っている場合に、ＡＮＤＳＦ２０からアクセスシステム情報の応答として、フロー毎に区分されたＭＯポリシー２４２（フロー（フロー２）、強制度（ｓｈａｌｌ、ｓｈｏｕｌｄ、ｍａｙ）、アクセスシステム（ＷＬＡＮ））を受け取ったＵＥ１０は、ＭＯポリシー２４２をＵＥポリシー１４２として変更することにより、フロー２において、ＬＴＥ経由（ＰＧＷ３０、ＳＧＷ３５、ｅＮＢ４５経由）の通信路によるデータの送受信から、ＷＬＡＮ経由（ＷＬＡＮａ、ＰＧＷ３０）の通信路によるデータの送受信へ変更することが可能となる。
【０１３４】
なお、ＭＯポリシー２４２により通知されるアクセスネットワークは、ＷＬＡＮ  ＡＮｂ７５に限らず、ＭＯのポリシーに応じてＷＬＡＮ  ＡＮａ７０でもよい。ＷＬＡＮ  ＡＮａ７０への切り替えポリシーを受信した場合には、ＵＥ１０は、フロー２において、ＬＴＥ経由（ＰＧＷ３０、ＳＧＷ３５、ｅＮＢ４５経由）でのデータの送受信から、ＷＬＡＮ  ＡＮａ７０経由（ＷＬＡＮ  ＡＮａ、ＰＧＷ３０）でのデータの送受信へ変更することが同様の手順により可能となる。具体的には、ＵＥ１０はアクセスネットワークＷＬＡＮ  ＡＮａ７５を経由してバインディング更新をＰＧＷ３０に送信し、アクセスシステムを切り替える。
【０１３５】
［２．第２実施形態］
［２．１  構成］
第２実施形態について説明する。第２実施形態における移動通信システムは、第１実施形態で利用した構成と同様の構成を利用することができる。また、ＩＰ移動通信ネットワーク５のそれぞれの構成要素（装置）も同様に利用可能であるため、説明を省略する。
【０１３６】
なお、本実施形態における、ＵＥ１０の構成は、図２を利用することができる。ただし、ＵＥポリシー１４２は、図１５に示す構成を利用するものとする。図１５（ａ）は、ＡＰＮ毎（ＡＰＮ識別子）（例えば、「ＡＰＮ１」）と、アクセスシステム（例えば、「ＬＴＥ」）とを対応づけて記憶し、ＵＥ１０がＡＰＮ毎に適用するアクセスシステムを管理する。ここで、ＡＰＮは、ネットワークサービスやインターネット接続を提供する際の接続先を示しており、サービス毎に異なる識別子が与えられる。したがって、ＡＰＮを利用してアクセスシステムに接続することで、ＡＰＮに対応付けられたサービスを利用することが可能となる。
【０１３７】
ＡＰＮの具体例として、インターネットがある。また、アクセスシステムは、ＬＴＥである必要はなく、ＷＬＡＮやＷｉＭＡＸであっても良い。
【０１３８】
また、ＡＤＮＳＦ２０の構成は、図４を利用することができる。ただし、ＭＯポリシー２４２は図１６に示す構成を利用するものとする。図１６では、ＡＰＮ（ＡＰＮ識別子）（例えば、「ＡＰＮ２」）毎に強制度（例えば、「ｓｈａｌｌ」）を設定し、ＡＰＮ毎（例えば、「ＡＰＮ２」）にアクセスシステム（例えば、「ＷＬＡＮ」）を区分している。
【０１３９】
第１実施形態では、ＡＮＤＳＦ２０は、フロー毎にアクセスシステムを管理し、フロー毎にアクセスシステムの変更を通知し、ＵＥ１０は、フロー毎にアクセスシステムを管理し、フロー毎にアクセスシステムを変更していたが、第２実施形態では、ＡＮＤＳＦ２０は、ＡＰＮ毎にアクセスシステムを管理し、ＡＰＮ毎にアクセスシステムの変更を通知し、ＵＥ１０は、ＡＰＮ毎にアクセスシステムを管理し、ＡＰＮ毎にアクセスシステムの変更を行うことが可能となる。
【０１４０】
［２．２  実施例］
［２．２．１  第１実施例］
上述した構成を用いた第１実施例について、図７を利用して説明する。まず、ＵＥ１０がＬＴＥ  ＡＮ８０の基地局装置（ｅＮＢ４５）及びＷＬＡＮ  ＡＮａ７０の装置（ＷＬＡＮ  ＡＰａ７２及び／又はＧＷ７４）に接続している状態において、図１５（ａ）変更前のＵＥポリシーに従って、ＡＰＮ１に接続して行う通信はＬＴＥを経由（ｅＮＢ４５、ＳＧＷ３５、ＰＧＷ３０を経由）した通信路により通信を行い、ＡＰＮ２に接続して行う通信はＬＴＥを経由（ｅＮＢ４５、ＳＧＷ３５、ＰＧＷ３０を経由）した通信路により通信を行い、ＡＰＮ３に接続して行う通信はＷＬＡＮを経由（ＷＬＡＮ  ＡＮａ７０、ＰＧＷ３０を経由した通信路により通信を行っている状態において、ＡＮＤＳＦ２０からＵＥ１０へ図１６で示すＭＯポリシー２４２としてＡＰＮ２に接続して行う通信において、強制度ｓｈａｌｌ、アクセスシステムとしてＷＬＡＮを送信することによって、ＭＯポリシー２４２を図１５（ｂ）のようにＵＥポリシー１４２に反映し、フロー２においてアクセスシステムＬＴＥ経由（ｅＮＢ４５、ＳＧＷ３５、ＰＧＷ３０を経由）した通信路によるデータの送受信からＷＬＡＮ経由（ＷＬＡＮ  ＡＮａ７０、ＰＧＷ３０を経由）した通信路によるデータの送受信へ切り替えるための手続きについて説明する。なお、各通信路はアクセスシステムにより識別可能であり、ＵＥ１０、ＰＧＷ３０及びＡＮＤＳＦ２０は、アクセスシステムを通信路の識別情報として手続きを行う。
【０１４１】
なお、図７において、Ｓ９０２からＳ９０６は、第１実施形態の第１実施例等と同様の手続きを利用できるため、説明を省略する。
【０１４２】
ＡＮＤＳＦ２０は、ＵＥ１０へアクセスシステム情報の応答を送信する（Ｓ９０８）。このとき、ＡＮＤＳＦ２０が送信するアクセスシステム情報の応答の含める構成を図１７に示す。図１７では、ＡＰＮ識別子（例えば、「ＡＰＮ２」）、強制度（例えば、「ｓｈａｌｌ」）、アクセスシステム（例えば、「ＷＬＡＮ」）をＵＥ１０に通知することとなる。
【０１４３】
ＡＮＳＦ２０からアクセスシステム情報の応答を受信したＵＥ１０は、アクセスシステム情報の応答に含められた、ＡＰＮ識別子（ＡＰＮ２）と、強制度（ｓｈａｌｌ）と、アクセスシステム（ＷＬＡＮ）の情報を確認し、ＭＯポリシー２４２をＵＥポリシー１４２に適用する。つまり、ＵＥポリシーにおけるＡＰＮ２のアクセスシステムのＬＴＥをＷＬＡＮへと変更する。ＵＥポリシー１４２を変更したＵＥ１０は、ＡＰＮ２におけるアクセスシステムを変更するために、アクセスシステムの変更手続きを決定する（Ｓ９１０）。
【０１４４】
続いて、ＵＥ１０は、アクセスシステムの切り替えを実行する。アクセスシステムの切り替えの具体的な手続きについて図１８を用いて説明する。
【０１４５】
なお、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮａ７０を選択し、アクセスシステムの切り替え手続きを行う例を説明する。
【０１４６】
まず、アクセスシステムの切り替え手続きの開始の契機は、ＵＥ１０がＷＬＡＮ  ＡＮａ７０へＬ３アタッチトリガーを送信し、ＡＰＮの通信に用いるアクセスシステムの切り替えを要求することにより開始する（Ｓ１７０２）。このとき、ＵＥ１０は、Ｌ３アタッチトリガーには、アクセスシステムを切り替えるＡＰＮのＡＰＮ識別子（ＡＰＮ２）と、切り替え先のアクセスシステムまたはアクセスシステムの識別情報とを含めて送信する。
【０１４７】
続いて、ＷＬＡＮ  ＡＮａ７０は、ＰＧＷ３０へプロキシバインディングの更新を送信し、ＵＥ１０のＡＰＮの通信に用いるアクセスシステムの切り替え要求を通知（Ｓ１７０４）。このとき、ＷＬＡＮ  ＡＮａ７０は、ＰＧＷ３０へ、ＡＰＮ２において、ＬＴＥ経由（ＰＧＷ３０、ＳＧＷ３５、ｅＮＢ４５経由）でのデータの送受信からＷＬＡＮ経由（ＰＧＷ３０、ＷＬＡＮ  ＡＮａ７０）でのデータの送受信へ切り替えることを通知する。プロキシバインディング更新には、アクセスシステムを切り替えるＡＰＮのＡＰＮ識別子（ＡＰＮ２）と、切り替え先のアクセスシステムまたはアクセスシステムの識別情報とを含めて送信する。
【０１４８】
プロキシバインディング更新を受信したＰＧＷ３０は、ＩＰ−ＣＡＮセッションの変更手続きを開始する（Ｓ１７０６）。具体的には、ＰＧＷ３０は、ＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）でデータの送受信を行っているＡＰＮ２を、ＷＬＡＮ経由（ＰＧＷ３０、ＷＬＡＮ  ＡＮａ７０）でのデータの送受信へ切り替えるよう、データベースを更新する。ここで、ＰＧＷ３０は、ＡＰＮ識別子を管理しており、ＡＰＮ識別子を確認して、適切なアクセスシステムにデータを送受信できる管理している。
【０１４９】
次に、ＰＧＷ３０は、ＰＧＷアドレスを更新し、ＨＳＳへ通知する（Ｓ１７０８）。ここで、ＰＧＷ３０はＰＧＷのアドレスとともに、ＷＬＡＮ  ＡＮａ７０で通知されたＡＰＮ２を含める。
【０１５０】
続いて、ＰＧＷ３０は、バインディングの更新及びＩＰ―ＣＡＮセッションの変更手続きの完了を確認し、ＷＬＡＮ  ＡＮａ７０へプロキシバインディング応答を送信してＵＥ１０の要求を許可する（Ｓ１７１０）。
【０１５１】
次に、ＧＷ制御セッションとＱｏＳルール変更手続きを行う（Ｓ１７１２）。つまり、ＰＧＷ３０からＡＰＮ２におけるＬＴＥ経由（ＰＧＷ３０、ＳＧＷ３５、ｅＮＢ４５経由）のデータの送受信をＷＬＡＮ  ＡＮａ７０経由（ＰＧＷ３０、ＷＬＡＮ  ＡＮａ７０）でのデータの送受信へ変更する。このとき、ＡＰＮ２におけるＷＬＡＮ  ＡＮａ７０経由（ＰＧＷ３０、ＷＬＡＮ  ＡＮａ７０）でのデータの送受信におけるＱｏＳを変更する。
【０１５２】
プロキシバインディング応答を受信したＷＬＡＮ  ＡＮａ７０は、Ｌ３アタッチ完了通知ＵＥ１０に送信してＵＥ１０の要求を許可する（Ｓ１７１４）。
【０１５３】
一方、ＰＧＷ３０は、ＡＰＮ２に対応するＬＴＥリソースを解放する（Ｓ１７１６）。つまり、ＡＰＮ２におけるＬＴＥ経由でのデータの送受信を終了する。
【０１５４】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてＡＰＮ２から提供されるサービスの通信を継続する。
【０１５５】
このように、ＡＮＤＳＦ２０からＵＥ１０へＡＰＮ２において、強制度「ｓｈａｌｌ」として、アクセスシステムをＷＬＡＮとして通知することにより、ＡＰＮ２におけるＬＴＥ経由（ＰＧＷ３０、ＳＧＷ３５、ｅＮＢ４５経由）でのデータの送受信をＷＬＡＮ経由（ＷＬＡＮ  ＡＮａ７０、ＰＧＷ３０）でのデータの送受信へ切り替えることができる。
【０１５６】
言い換えると、ＭＯは、ＵＥ１０に対して実施強制的のある切り替え指示をＵＥ１０に送信し、ＭＯポリシーに従った切り替えを実施させることができる。
【０１５７】
［２．２．２  第２実施例］
続いて第２実施例について説明する。第２実施例は、図７におけるＳ９０８におけるＡＮＤＳＦ２０がＵＥ１０へ送信するアクセスシステム情報の応答において、図１７の構成を含めるのではなく、図１９の構成を含める。図１９の構成では、強制度「ｓｈａｌｌ」ではなく、強制度「ｓｈｏｕｌｄ」を利用している。強制度「ｓｈｏｕｌｄ」は、ＭＯからの希望を示しており、ＵＥ１０は、ＭＯポリシー２４２をＵＥポリシー１４２へ必ずしも反映する必要はないことを意味する。
【０１５８】
つまり、図７のＳ９０８におけるアクセスシステム情報の応答において、強制度「ｓｈｏｕｌｄ」を通知されたＵＥ１０は、ＭＯポリシー２４２をＵＥポリシー１４２へ反映するかどうかを選択し、ＭＯポリシー２４２をＵＥポリシー１４２として変更する場合には、図１５（ｂ）の変更後のＵＥポリシーへ変更する。ＵＥポリシー１４２を変更したＵＥ１０が変更した場合の移行の手続きは第１実施形態で説明した通りであり、図７におけるＳ９１０及びＳ９１２の処理を実行する。その後、第１実施例と同様の切り替え手続きを行う。
【０１５９】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてＡＰＮ２から提供されるサービスの通信を継続する。
【０１６０】
一方、ＵＥ１０がＭＯポリシー２４２をＵＥポリシー１４２として変更しない場合には、図１５（ａ）の変更前のＵＥポリシーから変更しない。ＵＥ１０がＵＥポリシー１４２を変更しなかった場合、手続きを終了する。
【０１６１】
［２．２．３  第３実施例］
続いて第３実施例について説明する。第３実施例は、ＡＮＤＳＦ２０が、ＵＥ１０へ送信するアクセスシステム情報の応答（Ｓ９０８）において、図１７の構成や図１９の構成を利用するのではなく、図２０の構成を利用する。図１７の構成や図１９の構成と図２０の構成との違いは、強制度「ｓｈａｌｌ」や強制度「ｓｈｏｕｌｄ」ではなく、強制度「ｍａｙ」を利用している点である。強制度「ｍａｙ」は、ＭＯからの強制度が低く、ＵＥ１０の任意でＭＯポリシー２４２を利用するかどうかを決定することができることを示している。
【０１６２】
つまり、図７のＳ９０８におけるアクセスシステム情報の応答において、強制度「ｍａｙ」を通知されたＵＥ１０は、ＭＯポリシー２４２をＵＥポリシー１４２へ反映するかどうかを選択し、ＭＯポリシー２４２をＵＥポリシー１４２として変更する場合には、図１５（ｂ）の変更後のＵＥポリシーへ変更する。ＵＥポリシー１４２を変更したＵＥ１０が変更した場合の移行の手続きは先ほど説明した通りであり、図７におけるＳ９１０の処理及びＳ９１２の処理を実行する。その後、第１実施例と同様の切り替え手続きを行う。
【０１６３】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてＡＰＮ２から提供されるサービスの通信を継続する。
【０１６４】
一方、ＵＥ１０がＭＯポリシー２４２をＵＥポリシー１４２として変更しない場合には、図１５（ａ）の変更前のＵＥポリシーから変更しない。ＵＥ１０がＵＥポリシー１４２を変更しなかった場合、手続きを終了する。
【０１６５】
［２．２．４  第４実施例］
続いて第４実施例について説明する。第４実施例は、図７におけるＳ９１２において、図１８の手続きを利用するのではなく、図２１の手続きを利用することができる。
【０１６６】
図１８の手続きと図２１の手続きとの違いは、接続するアクセスネットワークが異なることにある。図１８の手続きでは、ＷＬＡＮ  ＡＮａ７０に接続していたが、図２１の手続きでは、ＷＬＡＮ  ＡＮｂ７５に接続する。つまり、ＵＥ１０は、ＬＴＥ経由（ＰＧＷ３０、ＳＧＷ３５、ｅＮＢ４５経由）からＷＬＡＮ  ＡＮａ７０、ＰＧＷ３０を経由するＷＬＡＮではなく、ＷＬＡＮ  ＡＮｂ７５、ｅＰＤＧ６５、ＰＧＷ３０を経由するＷＬＡＮへ切り替えることとなる。
【０１６７】
第１実施例で説明したように、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮｂ７５を選択し、アクセスシステムの切り替え手続きを行う例である。
【０１６８】
図２１を用いて、図７におけるＳ９１２のＵＥ１０によるアクセスシステム切り替え手続きについて説明する。まず、ＵＥ１０は、ＩＫＥｖ２認証を行う（Ｓ１９０２）。ここで、ｅＰＤＧ６５は、ＨＳＳ／ＡＡＡサーバに対して、ＡＰＮ２を利用するための認証と承認を行っており、ＡＰＮ２においてＷＬＡＮ  ＡＮｂ７５への切り替え手続きを開始することをｅＰＤＧ６５に通知している。
【０１６９】
ＵＥ１０とＩＫＥｖ２認証を完了したｅＰＤＧ６５を受信したｅＰＤＧ６５は、プロキシバインディング更新をＰＧＷ３０へ送信する（Ｓ１９０４）。このとき、ｅＰＤＧ６５は、プロキシバインディング更新に、ＡＰＮ２においてＷＬＡＮ  ＡＮｂ７５へ切り替えることを通知する。
【０１７０】
プロキシバインディング更新を受信したＰＧＷ３０は、ＩＰ−ＣＡＮセッションの変更手続きを開始する（Ｓ１９０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＡＰＮ２において、ＬＴＥ経由（ＰＧＷ３０、ＳＧＷ３５、ｅＮＢ４５経由）でデータの送受信を、ＷＬＡＮ経由（ＰＧＷ３０、ｅＰＤＧ６５、ＷＬＡＮ  ＡＮｂ７５）でのデータの送受信へ切り替えるよう、データベースを更新する。ここで、ＰＧＷ３０は、ＡＰＮ単位で適切なアクセスシステムにデータを送受信できる管理している。
【０１７１】
次に、ＰＧＷ３０は、ＰＧＷアドレスを更新する（Ｓ１９０８）。ここで、ＰＧＷ３０はＰＧＷのアドレスとともに、ＷＬＡＮ  ＡＮａ７０で通知されたＡＰＮ２を含める。
【０１７２】
続いて、ＰＧＷ３０は、バインディングの更新及びＩＰ―ＣＡＮセッションの変更手続きの完了を確認し、ＷＬＡＮ  ＡＮｂ７５へプロキシバインディング応答を送信する（Ｓ１３１０）。プロキシバインディング応答を受信したｅＰＤＧ６５は、ＩＫＥｖ２応答を送信する（Ｓ１９１２）。ＵＥ１０は、ＩＫＥｖ２応答の受信をもって、ＡＰＮ２におけるＷＬＡＮ経由（ＷＬＡＮ  ＡＮｂ７５、ｅＰＤＧ６５、ＰＧＷ３０）でのデータの送受信を行うことが可能となる。
【０１７３】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えてＡＰＮ２から提供されるサービスの通信を継続する。
【０１７４】
一方、ＰＧＷ３０は、ＡＰＮ２に対応するＬＴＥリソースを解放する（Ｓ１９１４）。つまり、ＡＰＮ２におけるＬＴＥ経由でのデータの送受信を終了する。
【０１７５】
［２．２．５  第５実施例］
続いて第５実施例について説明する。第５実施例は、図７におけるＳ９１２において、図１８の手続きや図２１の手続きを利用するのではなく、図２２の手続きを利用する。
【０１７６】
図１８の手続きや図２１の手続きと図２２の手続きとの違いは、バインディング更新がＵＥ１０から送信されることにある。図１８の手続きや図２１の手続きでは、ＷＬＡＮ  ＡＮａ７０やｅＰＤＧ６５からバインディング更新が送信されていたが、図２２の手続きでは、ＵＥ１０がモバイルＩＰの機能を利用することによって、バインディング更新をＰＧＷ３０へ送信することが可能となる。
【０１７７】
なお、第４実施例と同様に、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮａ７０を選択し、アクセスシステムの切り替え手続きを行う例である。
【０１７８】
図２２を用いて、図７におけるＳ９１２のＵＥ１０によるアクセスシステム切り替え手続きについて説明する。まず、ＵＥ１０は、Ｌ３アタッチ手続きを行う（Ｓ２００２）。これは、ＡＰＮ２において、ＬＴＥからＷＬＡＮ  ＡＮａ７０経由（ＵＥ１０、ＷＬＡＮ  ＡＮａ７０、ＰＧＷ３０）へアクセスシステムを切り替える前に、ＷＬＡＮ  ＡＮａ７０経由（ＵＥ１０、ＷＬＡＮ  ＡＮａ７０、ＰＧＷ３０）へ切り替えるために、ＵＥ１０のＩＰアドレスの取得やＷＬＡＮ  ＡＮａ７０とのデータの送受信に必要なリソースを確保している。
【０１７９】
続いて、ＵＥ１０は、バインディング更新をＰＧＷ３０へ送信する（Ｓ２００４）。このとき、ＵＥ１０は、ＡＰＮ２において、ＬＴＥからＷＬＡＮ  ＡＮａ７０経由でのデータの送受信へ切り替えることを通知する。
【０１８０】
プロキシバインディング更新を受信したＰＧＷ３０は、ＩＰ−ＣＡＮセッションの変更手続きを開始する（Ｓ２００６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＡＰＮ２におけるＬＴＥ経由（ＰＧＷ３０、ＳＧＷ３５、ｅＮＢ４５経由）でデータの送受信を、ＷＬＡＮ経由（ＰＧＷ３０、ＷＬＡＮ  ＡＮａ７０）でのデータの送受信へ切り替えるよう、データベースを更新する。ここで、ＰＧＷ３０は、ＡＰＮ毎にアクセスシステムを管理している。
【０１８１】
続いて、ＰＧＷ３０は、バインディングの更新及び、ＩＰ―ＣＡＮセッションの変更手続きの完了を確認し、ＵＥ１０へバインディング応答を送信する（Ｓ２００８）。
【０１８２】
一方、ＰＣＲＦ６０は、ＧＷ制御セッション変更及び、ＱｏＳルール生成手続きを行う（Ｓ２０１０）。つまり、ＡＰＮ２におけるＷＬＡＮ経由（ＰＧＷ３０、ＳＧＷ３５、ｅＮＢ４５経由）でのデータの送受信を開始する。ここで、ＷＬＡＮ経由（ＰＧＷ３０、ＷＬＡＮ  ＡＮａ７０、ＵＥ１０）でのデータの送受信におけるＱｏＳを変更する。
【０１８３】
一方、ＰＧＷ３０は、ＬＴＥリソースの解放を行う（Ｓ２０１２）。ＡＰＮ２におけるＬＴＥ経由（ＰＧＷ３０、ＳＧＷ３５、ｅＮＢ４５経由）でのデータの送受信を終了する。
【０１８４】
以上の手続きにより、ＵＥ１０がＡＰＮ毎にＬＴＥ経由または、ＷＬＡＮ経由でデータの送受信を行っている場合に、ＡＮＤＳＦ２０からアクセスシステム情報の応答として、ＡＰＮ毎に区分されたＭＯポリシー２４２（ＡＰＮ識別子（ＡＰＮ２）、強制度（ｓｈａｌｌ、ｓｈｏｕｌｄ、ｍａｙ）、アクセスシステム（ＷＬＡＮ））を受け取ったＵＥ１０は、ＭＯポリシー２４２をＵＥポリシー１４２として変更することにより、ＡＰＮ２において、ＬＴＥ経由（ＰＧＷ３０、ＳＧＷ３５、ｅＮＢ４５経由）の通信路によるデータの送受信から、ＷＬＡＮ経由（ＷＬＡＮ  ＡＮａ７０、ＰＧＷ３０）の通信路によるデータの送受信へ変更することが可能となる。
【０１８５】
なお、ＭＯポリシー２４２により通知されるアクセスネットワークは、ＷＬＡＮ  ＡＮａ７０に限らず、ＭＯのポリシーに応じてＷＬＡＮ  ＡＮｂ７５でもよい。ＷＬＡＮ  ＡＮｂ７５への切り替えポリシーを受信した場合には、ＵＥ１０は、ＡＰＮ２に接続して行うデータ送受信において、ＬＴＥ経由（ＰＧＷ３０、ＳＧＷ３５、ｅＮＢ４５経由）でのデータの送受信から、ＷＬＡＮ  ＡＮａ７０経由（ＷＬＡＮ  ＡＮｂ７５、ＰＧＷ３０）でのデータの送受信へ変更することが既に図１４を用いて説明した手順により可能となる。
【０１８６】
［３．第３実施形態］
［３．１  構成］
続いて第３実施形態について説明する。第３実施形態における移動通信システムは、第１実施形態、第２実施形態で利用した構成と同様の構成を利用することができる。また、ＩＰ移動通信ネットワーク５のそれぞれの構成要素（装置）も同様に利用可能であるため、説明を省略する。
【０１８７】
なお、本実施形態における、ＵＥ１０の構成は、図２を利用することができる。ただし、ＵＥポリシー１４２は、図２３に示す構成を利用するものとする。図２３（ａ）は、ＰＤＮコネクション（例えば、「ＰＤＮコネクション１」）と、アクセスシステム（例えば、「ＬＴＥ」）とを対応づけて記憶し、ＵＥ１０がＰＤＮコネクション毎に適用するアクセスシステムを管理する。ここで、ＰＤＮコネクションは、あるサービス（例えば、インターネット）への接続先を示している。
【０１８８】
また、ＡＤＮＳＦ２０の構成は、図４を利用することができる。ただし、ＭＯポリシー２４２は図２４に示す構成を利用するものとする。図２４では、ＰＤＮコネクション（例えば、「ＰＤＮコネクション２」）毎に強制度（例えば、「ｓｈａｌｌ」）を設定し、ＰＤＮコネクション毎（例えば、「ＰＤＮコネクション２」）にアクセスシステム（例えば、「ＷＬＡＮ」）を区分している。
【０１８９】
第１実施形態では、ＡＮＤＳＦ２０は、フロー毎にアクセスシステムを管理し、フロー毎にアクセスシステムの変更を通知し、ＵＥ１０は、フロー毎にアクセスシステムを管理し、フロー毎にアクセスシステムを変更していた。また、第２実施形態では、ＡＮＤＳＦ２０は、ＡＰＮ毎にアクセスシステムを管理し、ＡＰＮ毎にアクセスシステムの変更を通知し、ＵＥ１０は、ＡＰＮ毎にアクセスシステムを管理し、ＡＰＮ毎にアクセスシステムを変更していた。
【０１９０】
しかしながら、第３実施形態では、ＡＮＤＳＦ２０は、ＰＤＮコネクション毎にアクセスシステムを管理し、ＰＤＮコネクション毎にアクセスシステムの変更を通知し、ＵＥ１０は、ＰＤＮコネクション毎にアクセスシステムを管理し、ＰＤＮコネクション毎にアクセスシステムの変更を行うことが可能となる。
【０１９１】
［３．２  実施例］
［３．２．１  第１実施例］
上述した実施例として、処理の流れについて、図７を利用して説明する。まず、ＵＥ１０がＬＴＥ  ＡＮ８０の基地局装置（ｅＮＢ４５）及びＷＬＡＮ  ＡＮａ７０の装置（ＷＬＡＮ  ＡＰａ７２及び／又はＧＷ７４）に接続している状態において、図２３（ａ）変更前のＵＥポリシーに従って、ＰＤＮコネクション１の通信はＬＴＥを経由（ｅＮＢ４５、ＳＧＷ３５、ＰＧＷ３０を経由）した通信路により通信を行い、ＰＤＮコネクション２の通信はＬＴＥを経由（ｅＮＢ４５、ＳＧＷ３５、ＰＧＷ３０を経由）した通信路により通信を行い、ＰＤＮコネクション３の通信はＷＬＡＮを経由（ＷＬＡＮ  ＡＮａ７０、ＰＧＷ３０を経由した通信路により通信を行っている状態において、ＡＮＤＳＦ２０からＵＥ１０へ図２５で示すＭＯポリシー２４２としてＰＤＮコネクション２の通信において、強制度ｓｈａｌｌ、アクセスシステムとしてＷＬＡＮを送信することによって、ＭＯポリシー２４２を図２３（ｂ）のようにＵＥポリシー１４２に反映し、フロー２においてアクセスシステムＬＴＥ経由（ｅＮＢ４５、ＳＧＷ３５、ＰＧＷ３０を経由）した通信路によるデータの送受信からＷＬＡＮ経由（ＷＬＡＮ  ＡＮａ７０、ＰＧＷ３０を経由）した通信路によるデータの送受信へ切り替えるための手続きについて説明する。なお、各通信路はアクセスシステムにより識別可能であり、ＵＥ１０、ＰＧＷ３０及びＡＮＤＳＦ２０は、アクセスシステムを通信路の識別情報として手続きを行う。
【０１９２】
なお、図７において、Ｓ９０２からＳ９０６は、第１実施形態及び第２実施形態と同様の手続きを利用できるため、説明を省略する。
【０１９３】
ＡＮＤＳＦ２０は、ＵＥ１０へアクセスシステム情報の応答を送信する（Ｓ９０８）。このとき、ＡＮＤＳＦ２０が送信するアクセスシステム情報の応答の含める構成を図２５に示す。図２５では、ＰＤＮコネクション識別子（例えば「ＰＤＮコネクション２」）と、強制度（例えば「ｓｈａｌｌ」）とアクセスシステム（例えば「ＷＬＡＮ」）とをＵＥ１０に通知することとなる。
【０１９４】
ＡＮＳＦ２０からアクセスシステム情報の応答を受信したＵＥ１０は、アクセスシステム情報の応答に含められた、ＰＤＮコネクション識別子（ＰＤＮコネクション２）と、強制度（ｓｈａｌｌ）と、アクセスシステム（ＷＬＡＮ）の情報とを確認し、ＭＯポリシー２４２をＵＥポリシー１４２に適用する。つまり、ＵＥポリシー１４２におけるＰＤＮコネクション２のアクセスシステム、ＬＴＥをＷＬＡＮへと変更する。ＵＥポリシー１４２を変更したＵＥ１０は、ＰＤＮコネクション２におけるアクセスシステムの切り替え（ＬＴＥからＷＬＡＮ  ＡＮａ７０）を決定する（Ｓ９１０）。
【０１９５】
なお、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮａ７０を選択し、アクセスシステムの切り替え手続きを行う例を説明する。
【０１９６】
続いて、ＵＥ１０は、ＰＤＮコネクション２においてアクセスシステムの切り替え手続きを実行する。アクセスシステムの切り替えの具体的な手続きを図２６を用いて説明する。
【０１９７】
まず、アクセスシステムの切り替え手続きの開始の契機は、ＵＥ１０がＷＬＡＮ  ＡＮａ７０へＰＤＮコネクション切り替えトリガーを送信し、ＰＤＮコネクションの通信に用いるアクセスシステムの切り替えを要求することにより開始する（Ｓ２２０２）。ＰＤＮコネクション切り替えトリガーには、アクセスシステムを切り替えるＰＤＮコネクションの識別情報と、切り替え先のアクセスシステムまたはアクセスシステムの識別情報とを含めて送信する。ここで、ＰＤＮコネクションは、ＡＰＮ（例えば、「ＡＰＮ１」）を通知することで要求することができる。また、単一のＡＰＮであっても異なるＰＤＮコネクションを要求することが可能である。
【０１９８】
続いて、ＷＬＡＮ  ＡＮａ７０は、ＰＧＷ３０へプロキシバインディングの更新を送信し、ＰＤＮコネクションの通信に用いるアクセスシステムの切り替え要求を通知（Ｓ２２０４）。このとき、ＷＬＡＮ  ＡＮａ７０は、ＰＧＷ３０へ、ルーティングポリシーとして、ＰＤＮコネクション２において、ＬＴＥ経由（ＰＧＷ３０、ＳＧＷ３５、ｅＮＢ４５経由）でのデータの送受信からＷＬＡＮ経由（ＰＧＷ３０、ＷＬＡＮ  ＡＮａ７０）でのデータの送受信へ切り替えることを通知する。プロキシバインディング更新には、アクセスシステムを切り替えるＰＤＮコネクションの識別情報と、切り替え先のアクセスシステムまたはアクセスシステムの識別情報とを含めて送信する。
【０１９９】
プロキシバインディング更新を受信したＰＧＷ３０は、ＩＰ−ＣＡＮセッションの変更手続きを開始する（Ｓ２２０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＬＴＥ経由（ＰＧＷ３０、ＳＧＷ３５、ｅＮＢ４５経由）でデータの送受信を行っているＰＤＮコネクション２を、ＷＬＡＮ経由（ＰＧＷ３０、ＷＬＡＮ  ＡＮａ７０）でのデータの送受信へ切り替えるよう、データベースを更新する。ここで、ＰＧＷ３０は、ＰＤＮコネクション識別子とアクセスシステムを対応づけて管理している。
【０２００】
次に、ＰＧＷ３０は、ＰＧＷアドレスの更新する（Ｓ２２０８）。ここで、ＰＧＷ３０はＰＧＷのアドレスとともに、ＷＬＡＮ  ＡＮａ７０で通知されたＰＤＮコネクション２を含める。
【０２０１】
続いて、ＰＧＷ３０は、バインディングの更新及び、ＩＰ―ＣＡＮセッションの変更手続きの完了を確認し、ＷＬＡＮ  ＡＮａ７０へプロキシバインディング応答を送信してＵＥ１０の要求を許可する（Ｓ２２１０）。
【０２０２】
次に、ＧＷ制御セッションとＱｏＳルール変更手続きを行う（Ｓ２２１２）。つまり、ＰＧＷ３０からＰＤＮコネクション２におけるＬＴＥ経由（ＰＧＷ３０、ＳＧＷ３５、ｅＮＢ４５経由）のデータの送受信をＷＬＡＮ  ＡＮａ７０経由（ＰＧＷ３０、ＷＬＡＮ  ＡＮａ７０）でのデータの送受信へ変更する。このとき、ＰＤＮコネクション２におけるＷＬＡＮ  ＡＮａ７０経由（ＰＧＷ３０、ＷＬＡＮ  ＡＮａ７０）でのデータの送受信におけるＱｏＳを変更する。
【０２０３】
プロキシバインディング応答を受信したＷＬＡＮ  ＡＮａ７０は、ＰＤＮコネクション切り替えトリガーに対する応答を送信してＵＥ１０の要求を許可する（Ｓ２２１４）。
【０２０４】
一方、ＰＧＷ３０は、ＬＴＥリソースの解放を行う（Ｓ２２１６）。ＡＰＮ２におけるＬＴＥ経由（ＰＧＷ３０、ＳＧＷ３５、ｅＮＢ４５経由）でのデータの送受信を終了する。
【０２０５】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてＰＤＮコネクションの通信を継続する。
【０２０６】
このように、ＡＮＤＳＦ２０からＵＥ１０へＰＤＮコネクションに対して、強制度「ｓｈａｌｌ」として、アクセスシステムをＷＬＡＮとして通知することにより、ＬＴＥ経由（ＰＧＷ３０、ＳＧＷ３５、ｅＮＢ４５経由）でのＰＤＮコネクションのデータ送受信をＷＬＡＮ経由（ＷＬＡＮ  ＡＮａ７０、ＰＧＷ３０）でのデータ送受信へ切り替えることができる。
【０２０７】
言い換えると、ＭＯは、ＵＥ１０に対して実施強制的のある切り替え指示をＵＥ１０に送信し、ＭＯポリシーに従った切り替えを実施させることができる。
【０２０８】
［３．２．２  第２実施例］
続いて第２実施例について説明する。第２実施例は、図７におけるＳ９０８におけるＡＮＤＳＦ２０がＵＥ１０へ送信するアクセスシステム情報の応答において、図２５の構成を含めるのではなく、図２７の構成を含める実施例である。図２７の構成では、強制度「ｓｈａｌｌ」ではなく、強制度「ｓｈｏｕｌｄ」を利用している。強制度「ｓｈｏｕｌｄ」は、ＭＯからの希望を示しており、ＵＥ１０は、ＭＯポリシー２４２をＵＥポリシー１４２へ必ずしも反映する必要はないことを意味する。
【０２０９】
つまり、図７のＳ９０８におけるアクセスシステム情報の応答において、強制度「ｓｈｏｕｌｄ」を通知されたＵＥ１０は、ＭＯポリシー２４２をＵＥポリシー１４２へ反映するかどうかを選択し、ＭＯポリシー２４２をＵＥポリシー１４２として変更する場合には、図２３（ｂ）の変更後のＵＥポリシーへ変更する。ＵＥポリシー１４２を変更したＵＥ１０が変更した場合の移行の手続きは第１の実施形態で説明した通りであり、図７におけるＳ９１０及びＳ９１２の処理を実行する。その後、第１実施例と同様の切り替え手続きを行う。
【０２１０】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてＰＤＮコネクションの通信の通信を継続する。
【０２１１】
一方、ＵＥ１０がＭＯポリシー２４２をＵＥポリシー１４２として変更しない場合には、図２３（ａ）の変更前のＵＥポリシーから変更しない。ＵＥ１０がＵＥポリシー１４２を変更しなかった場合、手続きを終了する。
【０２１２】
［３．２．３  第３実施例］
続いて第３実施例について説明する。第３実施例は、また、ＡＮＤＳＦ２０が、ＵＥ１０へ送信するアクセスシステム情報の応答（Ｓ９０８）において、図２５の構成や図２７の構成を利用するのではなく、図２８の構成を利用する。図２５の構成や図２７の構成と図２８の構成との違いは、強制度「ｓｈａｌｌ」や強制度「ｓｈｏｕｌｄ」ではなく、強制度「ｍａｙ」を利用している点である。強制度「ｍａｙ」は、ＭＯからの強制度が低く、ＵＥ１０の任意でＭＯポリシー２４２を利用するかどうかを決定することができることを示している。
【０２１３】
つまり、図７のＳ９０８におけるアクセスシステム情報の応答において、強制度「ｍａｙ」を通知されたＵＥ１０は、ＭＯポリシー２４２をＵＥポリシー１４２へ反映するかどうかを選択し、ＭＯポリシー２４２をＵＥポリシー１４２として変更する場合には、図２３（ｂ）の変更後のＵＥポリシーへ変更する。ＵＥポリシー１４２を変更したＵＥ１０が変更した場合の移行の手続きは先ほど説明した通りであり、図７におけるＳ９１０の処理及び９１２の処理を実行する。その後、第１実施例と同様の切り替え手続きを行う。
【０２１４】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてＰＤＮコネクションの通信の通信を継続する。
【０２１５】
一方、ＵＥ１０がＭＯポリシー２４２をＵＥポリシー１４２として変更しない場合には、図２３（ａ）の変更前のＵＥポリシーから変更しない。ＵＥ１０がＵＥポリシー１４２を変更しなかった場合、手続きを終了する。
【０２１６】
［３．２．４  第４実施例］
続いて、第４実施例について説明する。第４実施例は、図７におけるＳ９１２において、図２６の手続きを利用するのではなく、図２１の手続きを利用する。図２６の手続きと図２１の手続きとの違いは、接続するアクセスネットワークが異なることにある。
【０２１７】
図２６の手続きでは、ＷＬＡＮ  ＡＮａ７０に接続していたが、図２１の手続きでは、ＷＬＡＮ  ＡＮｂ７５に接続する。つまり、ＵＥ１０は、ＬＴＥ経由（ＰＧＷ３０、ＳＧＷ３５、ｅＮＢ４５経由）からＷＬＡＮ  ＡＮａ７０、ＰＧＷ３０を経由するＷＬＡＮではなく、ＷＬＡＮ  ＡＮｂ７５、ｅＰＤＧ６５、ＰＧＷ３０を経由するＷＬＡＮへ切り替えることとなる。
【０２１８】
第１実施例で説明したように、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮｂ７５を選択し、アクセスシステムの切り替え手続きを行う例である。
【０２１９】
図２１を用いて、図７におけるＳ９１２のＵＥ１０によるアクセスシステム切り替え手続きについて説明する。まず、ＵＥ１０は、ＩＫＥｖ２認証を行う（Ｓ１９０２）。ここで、ｅＰＤＧ６５は、ＨＳＳ／ＡＡＡサーバに対して、ＰＤＮコネクション２をＷＬＡＮ  ＡＮｂ７５へ切り替えるための認証と承認をおこなっており、アクセスシステム切り替え手続きを開始することをｅＰＤＧ６５に通知している。
【０２２０】
ＵＥ１０とＩＫＥｖ２認証を完了したｅＰＤＧ６５は、プロキシバインディング更新をＰＧＷ３０へ送信する（Ｓ１９０４）。このとき、ｅＰＤＧ６５は、プロキシバインディング更新に、ＰＤＮコネクション２において、ＬＴＥ経由でのデータの送受信からＷＬＡＮ経由（ＰＧＷ３０、ｅＰＤＧ６５、ＷＬＡＮ  ＡＮｂ７５）でのデータの送受信へ切り替えることを通知する。
【０２２１】
プロキシバインディング更新を受信したＰＧＷ３０は、ＩＰ−ＣＡＮセッションの変更手続きを開始する（Ｓ１９０６）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＰＤＮコネクション２において、ＬＴＥ経由（ＰＧＷ３０、ＳＧＷ３５、ｅＮＢ４５経由）でデータの送受信を、ＷＬＡＮ経由（ＰＧＷ３０、ｅＰＤＧ６５、ＷＬＡＮ  ＡＮｂ７５）でのデータの送受信へ切り替えるよう、データベースを更新する。ここで、ＰＧＷ３０は、ＰＤＮコネクション単位で適切なアクセスシステムにデータを送受信できる管理している。
【０２２２】
次に、ＰＧＷ３０は、ＰＧＷアドレスを更新する（Ｓ１９０８）。ここで、ＰＧＷ３０はＰＧＷのアドレスとともに、ＰＤＮコネクション２においてＷＬＡＮ  ＡＮｂ７５経由でデータの送受信を行うことを含める。
【０２２３】
続いて、ＰＧＷ３０は、バインディングの更新及び、ＩＰ―ＣＡＮセッションの変更手続きの完了を確認し、ＷＬＡＮ  ＡＮｂ７５へプロキシバインディング応答を送信する（Ｓ１９１０）。プロキシバインディング応答を受信したｅＰＤＧ６５は、ＩＫＥｖ２応答を送信する（Ｓ１９１２）。
【０２２４】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えてＰＤＮコネクションの通信を継続する。
【０２２５】
［３．２．５  第５実施例］
続いて第５実施例について説明する。第５実施例は、図７におけるＳ９１２において、図２６の手続きや図２１の手続きを利用するのではなく、図２２の手続きを利用する。図２６の手続きや図２１の手続きと図２２の手続きとの違いは、バインディング更新がＵＥ１０から送信される点である。図２６の手続きや図２１の手続きでは、ＷＬＡＮ  ＡＮａ７０やｅＰＤＧ６５によってバインディング更新が送信されていたが、図２２の手続きでは、ＵＥ１０がモバイルＩＰの機能を利用することによって、バインディング更新をＰＧＷ３０へ送信することが可能となる。
【０２２６】
なお、第４実施例と同様に、ＵＥ１０が複数のＷＬＡＮアクセスシステムのアクセスネットワークに接続されている場合には、ＵＥ１０はアクセスネットワークを選択するためのポリシーを予め保持しておき、ポリシーに基づいてアクセスネットワークを選択してもよいし、任意に選択してもよい。ＵＥ１０が接続するＷＬＡＮアクセスシステムのアクセスネットワークが１つの場合には、そのアクセスネットワークを選択する。以下の例では、ＵＥ１０はアクセスネットワークとしてＷＬＡＮ  ＡＮａ７０を選択し、アクセスシステムの切り替え手続きを行う例である。
【０２２７】
図２２を用いて、図７におけるＳ９１２のＵＥ１０によるアクセスシステム切り替え手続きについて説明する。まず、ＵＥ１０は、バインディング更新をＰＧＷ３０へ送信する（Ｓ２００２）。このとき、ＵＥ１０は、バインディング更新に、ＰＤＮコネクション２において、ＬＴＥ８０からＷＬＡＮ  ＡＮａ７０でのデータの送受信へ切り替えることを通知する。
【０２２８】
プロキシバインディング更新を受信したＰＧＷ３０は、ＩＰ−ＣＡＮセッションの変更手続きを開始する（Ｓ２００４）。ＰＧＷ３０は、まずＰＣＲＦ６０へＩＰ−ＣＡＮセッション変更要求を送信する。このとき、ＰＧＷ３０は、ＰＣＲＦ６０へ更新したルーティングルールを提供する。つまり、ＰＤＮコネクション２におけるＬＴＥ経由（ＰＧＷ３０、ＳＧＷ３５、ｅＮＢ４５経由）でデータの送受信を、ＷＬＡＮ経由（ＰＧＷ３０、ＷＬＡＮ  ＡＮａ７０）でのデータの送受信へ切り替えるよう、データベースを更新する。ここで、ＰＧＷ３０は、ＡＰＮ毎にアクセスシステムを管理している。
【０２２９】
続いて、ＰＧＷ３０は、バインディングの更新及び、ＩＰ―ＣＡＮセッションの変更手続きの完了を確認し、ＵＥ１０へバインディング応答を送信する（Ｓ２００６）。
【０２３０】
一方、ＰＣＲＦ６０は、ＧＷ制御セッション変更及び、ＱｏＳルール生成手続きを行う（Ｓ２００８）。つまり、ＰＤＮコネクション２におけるＷＬＡＮ経由（ＰＧＷ３０、ＳＧＷ３５、ｅＮＢ４５経由）でのデータの送受信を開始する。ここで、ＷＬＡＮ経由（ＰＧＷ３０、ＷＬＡＮ  ＡＮａ７０、ＵＥ１０）でのデータの送受信におけるＱｏＳを変更する。
【０２３１】
以上の手続きにより、ＵＥ１０がＰＤＮコネクション毎にＬＴＥ経由または、ＷＬＡＮ経由の通信路でデータの送受信を行っている場合に、ＡＮＤＳＦ２０からアクセスシステム情報の応答として、ＰＤＮコネクション毎に区分されたＭＯポリシー２４２（ＰＤＮコネクション識別子（ＡＰＮ２）、強制度（ｓｈａｌｌ、ｓｈｏｕｌｄ、ｍａｙ）、アクセスシステム（ＷＬＡＮ））を受け取ったＵＥ１０は、ＭＯポリシー２４２をＵＥポリシー１４２として変更することにより、ＰＤＮコネクション２において、ＬＴＥ経由（ＰＧＷ３０、ＳＧＷ３５、ｅＮＢ４５経由）の通信路によるデータの送受信から、ＷＬＡＮ経由（ＷＬＡＮ  ＡＮａ７０、ＰＧＷ３０）の通信路によるデータの送受信へ変更することが可能となる。
【０２３２】
なお、ＭＯポリシー２４２により通知されるアクセスネットワークは、ＷＬＡＮ  ＡＮａ７０に限らず、ＭＯのポリシーに応じてＷＬＡＮ  ＡＮｂ７５でもよい。ＷＬＡＮ  ＡＮｂ７５への切り替えポリシーを受信した場合には、ＵＥ１０は、ＰＤＮコネクション２において、ＬＴＥ経由（ＰＧＷ３０、ＳＧＷ３５、ｅＮＢ４５経由）でのデータの送受信から、ＷＬＡＮ  ＡＮｂ７５経由（ＷＬＡＮ  ＡＮｂ７５、ＰＧＷ３０）でのデータの送受信へ変更することが既に図１４を用いて説明した手順により可能となる。
【０２３３】
［４．第４実施形態］
続いて第４実施形態について説明する。上述の実施形態において各ポリシーはアクセスシステムを利用することとして説明したが、本実施形態においては、アクセスネットワークを利用する場合について説明する。
【０２３４】
第４実施形態における移動通信システムは、上述の実施形態で利用した構成と同様の構成を利用することができる。また、ＩＰ移動通信ネットワーク５のそれぞれの構成要素（装置）も同様に利用可能であるため、説明を省略する。
【０２３５】
なお、第1〜３実施形態においては、通信路はアクセスシステムにより識別可能であり、ＵＥ１０、ＰＧＷ３０及びＡＮＤＳＦ２０は、アクセスシステムを通信路の識別情報として切り替え手続きを行ってきたが、本実施例では、アクセスネットワークにより通信路を識別する。したがって、本実施形態では、アクセスネットワークを識別情報とした切り替え手続きを行う。
【０２３６】
また、本実施形態における、ＵＥ１０の構成は図２を利用することができる。ただし、ＵＥポリシー１４２は、図２９に示す構成を利用するものとする。図２９は、フロー識別子（例えば、「フロー３」）と、アクセスネットワーク（例えば、「ＷＬＡＮ  ＡＮａ７０」）とを対応づけて記憶し、ＵＥ１０がフロー識別子毎に適用するアクセスネットワークを管理する。
【０２３７】
また、ＡＤＮＳＦ２０の構成は、図４を利用することができる。ただし、ＭＯポリシー２４２は図３０に示す構成を利用するものとする。図３０では、フロー識別子（例えば、「フロー識別子２」）毎に強制度（例えば、「ｓｈａｌｌ」）を設定し、フロー識別子毎（例えば、「フロー識別子２」）にアクセスネットワーク（例えば、「ＷＬＡＮ  ＡＮａ７０」）を区分している。
【０２３８】
第１実施形態では、ＡＮＤＳＦ２０は、フロー毎にアクセスシステムを管理し、フロー毎にアクセスシステムの変更を通知し、ＵＥ１０は、フロー毎にアクセスシステムを管理し、フロー毎にアクセスシステムを変更していた。
【０２３９】
しかしながら、第４実施形態では、ＡＮＤＳＦ２０は、フロー毎にアクセスネットワークを管理し、フロー毎にアクセスネットワークの変更を通知し、ＵＥ１０は、フロー毎にアクセスネットワークを管理し、フロー毎にアクセスネットワークの変更を行うことが可能となる。
【０２４０】
これにより、第１実施形態では、ＵＥ１０がＷＬＡＮをアクセスシステムとする複数のアクセスネットワークに接続していた場合に、ＵＥ１０はアクセスネットワークを選択する必要があったが、第４実施形態では、ＵＥ１０がＷＬＡＮをアクセスシステムとする複数のアクセスネットワークに接続していた場合でも、ＵＥポリシー１４２に基づいてアクセスネットワークの切り替えを行うことができる。
【０２４１】
［４．２  実施例］
［４．２．１  第１実施例］
上述した実施例として、処理の流れについて、図３１を利用して説明する。図３１は、第１実施形態の図７に基づいたフローであり、図７と同様の処理については、同じ符号を付してその説明を省略する。
【０２４２】
ＵＥ１０は、ＡＮＤＳＦ２０に対して、アクセスネットワーク情報の要求を送信する（Ｓ９０６ａ）。ＡＮＤＳＦ２０は、当該アクセスネットワーク情報の要求に基づいて、アクセスネットワーク情報の応答を送信する（Ｓ９０８ａ）。
【０２４３】
アクセスネットワーク情報の応答を受信したＵＥ１０は、アクセスネットワーク情報の応答に含められた情報に従って、アクセスネットワークの選択とフローの利用するアクセスネットワークの切り替えを決定する（Ｓ９１０ａ）。ここで、アクセスネットワーク情報の応答には、フロー２において、強制度「ｓｈａｌｌ」、アクセスネットワーク「ＷＬＡＮ  ＡＮａ」の情報が含められていたので、図２９のＵＥポリシー１４２におけるフロー２のアクセスネットワークのＬＴＥ  ＡＮ８０をＷＬＡＮ  ＡＮａ７０へ変更する。つまり、ＵＥ１０は、フロー２におけるアクセスネットワークをＬＴＥ  ＡＮ８０からＷＬＡＮ  ＡＮａ７０へ変更し、接続するアクセスネットワークの切り替えを決定する。
【０２４４】
なお、本実施形態では、ＵＥ１０は、ＬＴＥ  ＡＮ８０及びＷＬＡＮ  ＡＮａ７０に接続し、通信を開始している状態において（Ｓ９０２）、ＭＯポリシーを受信する例を説明したが、これに限らず、ＬＴＥ  ＡＮ８０又はＷＬＡＮ  ＡＮａ７０のいずれかに接続している状態で受信してもよい。
【０２４５】
続いて、ＵＥ１０は、アクセスネットワークの切り替えを実行する（Ｓ９１２ａ）。アクセスネットワークの切り替手続きは、第１実施形態で説明した図１０に基づいたフローとほぼ同様であり、同様の処理については説明を省略する。異なる点は、送受信するメッセージに含まれていたアクセスシステムの識別情報が、アクセスネットワークの識別情報となる点である。
【０２４６】
具体的には、ＩＰ  ｆｌｏｗ  ｍｏｂｉｌｉｔｙトリガー(Ｓ１００２)、プロキシバインディング更新（Ｓ１００４）、プロキシバインディング応答（Ｓ１０１０），ＩＰ  ｆｌｏｗ  ｍｏｂｉｌｉｔｙ  ａｃｋ（Ｓ１０１２）の各メッセージに含まれていたアクセスシステムの情報が、アクセスネットワークの情報に置き換わる。
【０２４７】
これにより、ＡＮＤＳＦ２０からＵＥ１０へフロー２において、強制度「ｓｈａｌｌ」として、アクセスネットワークをＷＬＡＮ  ＡＮａ７０として通知し、ＵＥ１０はアクセスネットワークの切り替えを要求し、ＰＧＷ３０が切り替えを許可することにより、フロー２におけるＬＴＥ  ＡＮ８０経由（ＰＧＷ３０、ＳＧＷ３５、ｅＮＢ４５経由）の通信路によるデータの送受信をＷＬＡＮ  ＡＮａ７０経由（ＷＬＡＮ  ＡＮａ７０、ＰＧＷ３０）の通信路によるデータの送受信へ切り替えることができる。
【０２４８】
［４．２．２  第２実施例］
続いて第２実施例について説明する。第２実施例では、ＡＮＤＳＦ２０が、ＵＥ１０へ送信するアクセスネットワーク情報の応答（Ｓ９０８ａ）において、図３０の構成を利用するのではなく、図３２の構成を利用する。ここで、図３０の構成と図３２の構成との違いは、強制度「ｓｈａｌｌ」ではなく、強制度「ｓｈｏｕｌｄ」を利用している。強制度「ｓｈｏｕｌｄ」は、ＭＯからの希望を示しており、ＵＥ１０は、ＭＯポリシー２４２をＵＥポリシー１４２へ必ずしも反映する必要はない。
【０２４９】
つまり、図３１のＳ９０８ａにおけるアクセスネットワーク情報の応答において、強制度「ｓｈｏｕｌｄ」を通知されたＵＥ１０は、ＭＯポリシー２４２をＵＥポリシー１４２へ反映するかどうかを選択し、ＭＯポリシー２４２をＵＥポリシー１４２として変更する場合には、図２９のＵＥポリシーを変更する。ＵＥポリシー１４２を変更したした場合の移行の手続きは先ほど説明した通りであり、図３１におけるＳ９１０ａ及びＳ９１２ａの処理を実行する。その後、第１実施例と同様の切り替え手続きを行う。
【０２５０】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてフローの通信の通信を継続する。
【０２５１】
一方、ＵＥ１０がＭＯポリシー２４２をＵＥポリシー１４２として変更しない場合には、図２９のＵＥポリシーは変更しない。ＵＥ１０がＵＥポリシー１４２を変更しなかった場合、手続きを終了する。
【０２５２】
［４．２．３  第３実施例］
続いて、第３実施例について説明する。第３実施例は、ＡＮＤＳＦ２０が、ＵＥ１０へ送信するアクセスネットワーク情報の応答（Ｓ９０８ａ）において、図３０の構成や図３２の構成を利用するのではなく、図３３の構成を利用する。
【０２５３】
図３０の構成や図３２の構成と図３３の構成との違いは、強制度「ｓｈａｌｌ」や強制度「ｓｈｏｕｌｄ」ではなく、強制度「ｍａｙ」を利用している。強制度「ｍａｙ」は、ＭＯからの強制度が低く、ＵＥ１０の任意でＭＯポリシー２４２を利用するかどうか決定することができることを示している。
【０２５４】
つまり、図３１のＳ９０８ａにおけるアクセスネットワーク情報の応答において、強制度「ｍａｙ」を通知されたＵＥ１０は、ＭＯポリシー２４２をＵＥポリシー１４２へ反映するかどうかを選択し、ＭＯポリシー２４２をＵＥポリシー１４２として変更する場合には、図２９のＵＥポリシーを変更する。ＵＥポリシー１４２を変更した場合の移行の手続きは先ほど説明した通りであり、図３１におけるＳ９１０ａの処理及びＳ９１２ａの処理を実行する。その後、第１実施例と同様の切り替え手続きを行う。
【０２５５】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮａ７０経由（ＰＧＷ３０、ＷＬＡＮ  ＡＮａ７０）に通信路を切り替えてフローの通信の通信を継続する。
【０２５６】
一方、ＵＥ１０がＭＯポリシー２４２をＵＥポリシー１４２として変更しない場合には、図２９のＵＥポリシーは変更しない。ＵＥ１０がＵＥポリシー１４２を変更しなかった場合、手続きを終了する。
【０２５７】
［４．２．４  第４実施例］
続いて、第４実施例について説明する。第４実施例は、図３１を利用して説明したフローにおいて、アクセスネットワーク情報の応答（Ｓ９０８ａ）及びアクセスネットワークの切り替え実行（Ｓ９１２ａ）が異なる。その他の図３１の同様の処理については、同じ符号を付してその説明を省略する。
【０２５８】
第４実施例は、図３１におけるアクセスネットワーク情報の応答Ｓ９０８ａにおいて、フロー２において、強制度「ｓｈａｌｌ」、アクセスネットワーク「ＷＬＡＮ  ＡＮｂ７５」の情報を含めて送信する。ＵＥ１０はこの情報に従って、図２９のＵＥポリシー１４２におけるフロー２のアクセスネットワークのＬＴＥ  ＡＮ８０をＷＬＡＮ  ＡＮｂ７５へ変更する。つまり、ＵＥ１０は、フロー２におけるアクセスネットワークをＬＴＥ  ＡＮ８０からＷＬＡＮ  ＡＮｂ７５へ変更し、接続するアクセスネットワークの切り替えを決定する。
【０２５９】
アクセスネットワーク切り替え実行（Ｓ９１２ａ）では、図１０の手続きを利用するのではなく、図１３の手続きを利用して切り替えを行う。図１０の手続きと図１３の手続きとの違いは、接続するアクセスネットワークが異なることにある。図１０の手続きでは、ＷＬＡＮ  ＡＮａ７０に接続していたが、図１３の手続きでは、ＷＬＡＮ  ＡＮｂ７５に接続する。
【０２６０】
アクセスネットワークの切り替手続きは、第１実施形態で説明した図１３に基づいたフローとほぼ同様であり、同様の処理については説明を省略する。異なる点は、送受信するメッセージに含まれていたアクセスシステムの識別情報が、アクセスネットワークの識別情報となる点である。
【０２６１】
具体的には、ＩＰ  ｆｌｏｗ  ｍｏｂｉｌｉｔｙトリガー(Ｓ１３０２)、プロキシバインディング更新（Ｓ１３０４）、プロキシバインディング応答（Ｓ１３１０），ＩＰ  ｆｌｏｗ  ｍｏｂｉｌｉｔｙ  ａｃｋ（Ｓ１３１２）の各メッセージに含まれていたアクセスシステムの情報が、アクセスネットワークの情報に置き換わる。
【０２６２】
これにより、ＡＮＤＳＦ２０からＵＥ１０へフロー２において、強制度「ｓｈａｌｌ」として、アクセスネットワークをＷＬＡＮ  ＡＮｂ７５として通知し、ＵＥ１０はアクセスネットワークの切り替えを要求し、ＰＧＷ３０が切り替えを許可することにより、フロー２におけるＬＴＥ  ＡＮ８０経由（ＰＧＷ３０、ＳＧＷ３５、ｅＮＢ４５経由）でのデータの送受信をＷＬＡＮ  ＡＮｂ７５経由（ＷＬＡＮ  ＡＮｂ７５、ＰＧＷ３０）でのデータの送受信へ切り替えることができる。
【０２６３】
以上の手続きにより、ＵＥ１０及びＰＧＷ３０は、ＬＴＥ経由（ＰＧＷ３０、ＳＧＷ３５、ｅＮＢ４５経由）からＷＬＡＮ  ＡＮｂ７５経由（ＰＧＷ３０、ｅＰＤＧ６５、ＷＬＡＮ  ＡＮｂ７５）に通信路を切り替えてフローの通信の通信を継続する。
【０２６４】
［４．２．５  第５実施例］
続いて第５実施例について説明する。第５実施例は、図３１におけるＳ９１２ａにおいて、図１０の手続きや図１３の手続きを利用するのではなく、図１４の手続きを利用する。
【０２６５】
図１４の手続きは第１実施形態とで説明した手続きとほぼ同様であり、詳細説明を省略する。異なる点は、送受信するメッセージに含まれていたアクセスシステムの識別情報が、アクセスネットワークの識別情報となる点である。
【０２６６】
具体的には、バインディング更新(Ｓ１４０４)、バインディング応答（Ｓ１４０４）の各メッセージに含まれていたアクセスシステムの情報が、アクセスネットワークの情報に置き換わる。
【０２６７】
以上の手続きにより、ＵＥ１０がフロー毎にＬＴＥ経由または、ＷＬＡＮ経由でデータの送受信を行っている場合に、ＡＮＤＳＦ２０からアクセスネットワーク情報の応答として、フロー毎に区分されたＭＯポリシー２４２（フロー（フロー２）、強制度（ｓｈａｌｌ、ｓｈｏｕｌｄ、ｍａｙ）、アクセスネットワーク（ＷＬＡＮ  ＡＮａ７０））を受け取ったＵＥ１０は、ＭＯポリシー２４２をＵＥポリシー１４２として変更することにより、フロー２において、ＬＴＥ経由（ＰＧＷ３０、ＳＧＷ３５、ｅＮＢ４５経由）の通信路によるデータの送受信から、ＷＬＡＮ  ＡＮａ７０経由（ＷＬＡＮ  ＡＮａ７０、ＰＧＷ３０）の通信路によるデータの送受信へ変更することが可能となる。
【０２６８】
なお、ＭＯポリシー２４２により通知されるアクセスネットワークは、ＷＬＡＮ  ＡＮａ７０に限らず、ＭＯのポリシーに応じてＷＬＡＮ  ＡＮｂ７５でもよい。ＷＬＡＮ  ＡＮｂ７５への切り替えポリシーを受信した場合には、ＵＥ１０は、フロー２において、ＬＴＥ経由（ＰＧＷ３０、ＳＧＷ３５、ｅＮＢ４５経由）でのデータの送受信から、ＷＬＡＮ  ＡＮａ７０経由（ＷＬＡＮ  ＡＮｂ７５、ＰＧＷ３０）でのデータの送受信へ変更することが既に説明した図２２の手順により可能となる。
【０２６９】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０２７０】
例えば、各実施形態において説明したプロキシバインディング更新、応答により確立されるコアネットワーク内の通信路は、ＧＴＰプロトコルを基に確立されたＧＴＰトンネルを通信路としても良い。その場合には、通信路を確立するプロキシバインディング更新、応答メッセージは、ＧＴＰトンネルを確立するための要求メッセージ、応答メッセージに置き換わる。
【０２７１】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２７２】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２７３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２７４】
また、上述した実施形態における各装置の一部又は全部を典型的には集積回路であるＬＳＩ（Large Scale Integration）として実現してもよい。各装置の各機能ブロックは個
別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０２７５】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【０２７６】
１  移動通信システム
５  ＩＰ移動通信ネットワーク
１０  ＵＥ
２０  ＡＮＤＳＦ
３０  ＰＧＷ
３５  ＳＧＷ
４０  ＭＭＥ
４５  ｅＮＢ
５０  ＨＳＳ
５５  ＡＡＡ
６０  ＰＣＲＦ
６５  ｅＰＤＧ
７０  ＷＬＡＮ  ＡＮａ
７２  ＷＬＡＮ  ＡＰａ
７４  ＧＷ
７５  ＷＬＡＮ  ＡＮｂ
７６  ＷＬＡＮ  ＡＰｂ
８０  ＬＴＥ  ＡＮ
９  ＰＤＮ
【図１】
0005749617.tif 000002
【図２】
0005749617.tif 000003
【図３】
0005749617.tif 000004
【図４】
0005749617.tif 000005
【図５】
0005749617.tif 000006
【図６】
0005749617.tif 000007
【図７】
0005749617.tif 000008
【図８】
0005749617.tif 000009
【図９】
0005749617.tif 000010
【図１０】
0005749617.tif 000011
【図１１】
0005749617.tif 000012
【図１２】
0005749617.tif 000013
【図１３】
0005749617.tif 000014
【図１４】
0005749617.tif 000015
【図１５】
0005749617.tif 000016
【図１６】
0005749617.tif 000017
【図１７】
0005749617.tif 000018
【図１８】
0005749617.tif 000019
【図１９】
0005749617.tif 000020
【図２０】
0005749617.tif 000021
【図２１】
0005749617.tif 000022
【図２２】
0005749617.tif 000023
【図２３】
0005749617.tif 000024
【図２４】
0005749617.tif 000025
【図２５】
0005749617.tif 000026
【図２６】
0005749617.tif 000027
【図２７】
0005749617.tif 000028
【図２８】
0005749617.tif 000029
【図２９】
0005749617.tif 000030
【図３０】
0005749617.tif 000031
【図３１】
0005749617.tif 000032
【図３２】
0005749617.tif 000033
【図３３】
0005749617.tif 000034